(57)【要約】  １つ以上の無線アクセス技術からの測定値を用いてマルチモード移動体デバイスについて位置推定値を決定し、組み合わせた位置検出解を提供する種々の態様を開示する。ワイヤレス通信システムの多重無線アクセス技術能力を用いて、第１無線変調技法、無線ネットワーク・トポロジ、およびチャネル帯域幅によって特徴付けられる第１無線ネットワークにおいて、移動体通信デバイスの位置を検出することができる。次いで、この移動体通信デバイスを第２無線ネットワークに移すことができ、第２無線変調技法、無線ネットワーク・トポロジ、およびチャネル帯域幅によって特徴付けられる第２無線ネットワークにおいて、その位置を検出することができる。次いで、２つの位置推定値を用いて、組み合わせ位置推定値を求めることができる。【選択図】      図３
2012508390.tif 000002
【特許請求の範囲】
【請求項１】
複数の無線アクセス技術を用いるワイヤレス通信システムにおいて、マルチモード移動体通信デバイスの位置を検出する方法であって、前記ワイヤレス通信システムが、無線アクセス技術のハンドオーバー・メカニズムをサポートしており、
第１無線アクセス技術を用いて、第１グループのセンサ・ステーションにおいて、前記マルチモード移動体通信デバイスからの第１無線信号情報を受信するステップと、
前記マルチモード移動体通信デバイスの、第２グループのセンサ・ステーションへのハンドオーバーを発生させるステップと、
第２無線アクセス技術を用いて、前記第２グループのセンサ・ステーションにおいて、前記マルチモード移動体通信デバイスから第２無線信号情報を受信するステップと、
前記第１および第２無線信号情報の関数として、組み合わせ位置推定値を判定するステップと、
を含む、方法。
【請求項２】
請求項１記載の方法において、前記第１および第２無線アクセス技術が、変調技法、無線ネットワーク・トポロジ、またはチャネル帯域幅のうち少なくとも１つにおいて相違する、方法。
【請求項３】
請求項１記載の方法において、前記第１および第２無線アクセス技術が、変調技法、無線ネットワーク・トポロジ、およびチャネル帯域幅において相違する、方法。
【請求項４】
請求項１記載の方法であって、更に、ハンドオーバーを発生させる前記ステップに先立って、そのハンドオーバーを発生させるか否か判断するプロセスを実行するステップを含む、方法。
【請求項５】
請求項４記載の方法において、前記プロセスが所定の規則に基づく、方法。
【請求項６】
請求項４記載の方法において、前記プロセスが位置検出イベントの種類に基づく、方法。
【請求項７】
請求項４記載の方法において、前記プロセスが情報分析の動的サービス品質に基づく、方法。
【請求項８】
請求項４記載の方法において、前記プロセスが前記第１無線信号情報の品質に基づく、方法。
【請求項９】
請求項４記載の方法において、前記プロセスが位置検出誤差要因に基づく、方法。
【請求項１０】
請求項４記載の方法において、前記プロセスが、前記第１および第２センサ・ステーション・グループを用いた位置判定の過去の履歴に基づく、方法。
【請求項１１】
請求項４記載の方法において、前記プロセスが、前記第１および第２センサ・ステーション・グループのネットワーク・トポロジに基づく、方法。
【請求項１２】
請求項４記載の方法において、前記プロセスが、前記第１および第２センサ・ステーション・グループの位置判定能力に基づく、方法。
【請求項１３】
請求項４記載の方法において、前記第２グループのセンサ・ステーションが、当該第２グループの各センサ・ステーションにおいて利用可能なワイヤレス位置検出技術に基づいて選択される、方法。
【請求項１４】
請求項１記載の方法であって、更に、
前記第１無線信号情報の分析に基づいて、前記マルチモード移動体通信デバイスの第１推定(probable)位置を判定するステップと、
前記第２無線信号情報の分析に基づいて、前記マルチモード移動体通信デバイスの第２推定位置を判定するステップと、
前記第１および第２推定位置の関数として、組み合わせ位置推定値を判定するステップと、
を含む、方法。
【請求項１５】
請求項１４記載の方法において、前記第１推定位置を判定する前記ステップまたは前記第２推定位置を判定する前記ステップが、到達時間差（ＴＤＯＡ）技法を用いて実行される、方法。
【請求項１６】
請求項１４記載方法において、前記第１推定位置を判定する前記ステップまたは前記第２推定位置を判定する前記ステップが、到達角度（ＡＯＡ）技法を用いて実行される、方法。
【請求項１７】
請求項１４記載の方法であって、更に、前記組み合わせ位置推定値を判定するために、前記第１および第２推定位置を数学的に組み合わせるステップを含む、方法。
【請求項１８】
請求項１記載の方法において、前記組み合わせ位置推定値を判定する前記ステップが、更に、品質基準の関数として、最良の位置推定値を選択するステップを含む、方法。
【請求項１９】
請求項１記載の方法であって、更に、予め設定されたトリガに応答して、前記組み合わせ位置推定値をネットワーク・ノードに送信するステップを含む、方法。
【請求項２０】
請求項１記載の方法であって、更に、前の位置検出要求に応答して、前記組み合わせ位置推定値をネットワーク・ノードに送信するステップを含む、方法。
【請求項２１】
請求項１記載の方法において、前記第１無線信号情報が、進行中のコールまたは進行中のデータ・セッションの間に受信される、方法。
【請求項２２】
請求項２１記載の方法において、前記第１無線信号情報が、トラフィック・チャネルにおいて受信される、方法。
【請求項２３】
請求項１記載の方法であって、更に、緊急サービス・コールの指示のために、移動体デバイスが発したコールを分析するステップを含む、方法。
【請求項２４】
請求項２３記載の方法において、前記第２無線信号情報が、前記緊急サービス・コールの間に受信される、方法。
【請求項２５】
請求項１４記載の方法において、
前記第１無線信号情報が第１制御チャネルにおいて受信され、
前記第２無線信号情報が第２制御チャネルにおいて受信され、
前記第２推定位置を判定する前記ステップが、前記マルチモード移動体通信デバイスのために会話状態またはデータ・セッションが開始される前に実行される、方法。
【請求項２６】
請求項４記載の方法であって、更に、保留のハンドオーバーの指示を受信するステップを含み、前記プロセスが前記指示に基づく、方法。
【請求項２７】
請求項１記載の方法において、前記第１および第２グループが、少なくとも１つの共通センサ・ステーションを含み、この少なくとも１つの共通センサ・ステーションが、第１および第２無線アクセス技術双方を用いることができる、方法。
【請求項２８】
マルチモード移動体通信デバイスの位置検出システムであって、
第１無線アクセス技術を用い、この第１無線アクセス技術を用いてマルチモード移動体通信デバイスから第１無線信号情報を受信するように構成された第１グループのセンサ・ステーションと、
第２無線アクセス技術を用い、この第２無線アクセス技術を用いてマルチモード移動体通信デバイスから第２無線信号情報を受信するように構成された第２グループのセンサ・ステーションであって、前記第１グループと前記第２グループとは、共通のセンサ・ステーションを含むことがある、第２グループのセンサ・ステーションと、
少なくとも１つのプロセッサと、この少なくとも１つのプロセッサに通信可能に結合された少なくとも１つの記憶媒体とを含む第１サブシステムであって、前記記憶媒体が、無線アクセス技術のハンドオーバー・メカニズムを実装するように前記プロセッサに命令するコンピュータ実行可能命令を格納した、第１サブシステムと、
少なくとも１つのプロセッサと、この少なくとも１つのプロセッサに通信可能に結合された少なくとも１つの記憶媒体とを含む第２サブシステムであって、前記記憶媒体が、以下のステップ、
前記第１無線信号情報を受信するステップと、
無線アクセス技術のハンドオーバーの要求を送信するステップと、
前記第２無線信号情報を受信するステップと、
前記第１および第２無線信号情報の関数として、組み合わせ位置推定値を判定するステップと、
の実行において前記プロセッサに命令するコンピュータ実行可能命令を格納した、第２サブシステムと、
を含む、システム。
【請求項２９】
請求項２８記載のシステムにおいて、前記第１および第２無線アクセス技術が、変調技法、無線ネットワーク・トポロジ、またはチャネル帯域幅のうち少なくとも１つにおいて相違する、システム。
【請求項３０】
請求項２８記載のシステムにおいて、前記第１および第２無線アクセス技術が、変調技法、無線ネットワーク・トポロジ、およびチャネル帯域幅において相違する、システム。
【請求項３１】
請求項２８記載のシステムにおいて、前記第２サブシステムが、更に、前記要求を送信する前記ステップに先立って、その要求を送信するか否か判断するプロセスを実行する命令を含む、システム。
【請求項３２】
請求項３１記載のシステムにおいて、前記プロセスが所定の規則に基づく、システム。
【請求項３３】
請求項３１記載のシステムにおいて、前記プロセスが位置検出イベントの種類に基づく、システム。
【請求項３４】
請求項３１記載のシステムにおいて、前記プロセスが情報分析の動的サービス品質に基づく、システム。
【請求項３５】
請求項３１記載のシステムにおいて、前記プロセスが前記第１位置検出の品質に基づく、システム。
【請求項３６】
請求項３１記載のシステムにおいて、前記プロセスが位置検出誤差要因に基づく、システム。
【請求項３７】
請求項３１記載のシステムにおいて、前記プロセスが、前記第１および第２センサ・ステーション・グループを用いた位置判定の過去の履歴に基づく、システム。
【請求項３８】
請求項３１記載のシステムにおいて、前記プロセスが、前記第１および第２センサ・ステーション・グループのネットワーク・トポロジに基づく、システム。
【請求項３９】
請求項３１記載のシステムにおいて、前記プロセスが、前記第１および第２センサ・ステーション・グループの位置判定能力に基づく、システム。
【請求項４０】
請求項２８記載のシステムにおいて、前記第２グループのセンサ・ステーションが、当該第２グループの各センサ・ステーションにおいて利用可能なワイヤレス位置検出技術に基づいて選択される、システム。
【請求項４１】
請求項２８記載のシステムであって、更に、
前記第１無線信号情報の分析に基づいて、前記マルチモード移動体通信デバイスの第１推定(probable)位置を判定する命令と、
前記第２無線信号情報の分析に基づいて、前記マルチモード移動体通信デバイスの第２推定位置を判定する命令と、
前記第１および第２推定位置の関数として、組み合わせ位置推定値を判定する命令と、
を含む、システム。
【請求項４２】
請求項４１記載のシステムにおいて、前記第１推定位置を判定する前記ステップまたは前記第２推定位置を判定する前記ステップが、到達時間差（ＴＤＯＡ）技法を用いて実行される、システム。
【請求項４３】
請求項４１記載システムにおいて、前記第１推定位置を判定する前記ステップまたは前記第２推定位置を判定する前記ステップが、到達角度（ＡＯＡ）技法を用いて実行される、システム。
【請求項４４】
請求項４１記載のシステムであって、更に、前記組み合わせ位置推定値を判定するために、前記第１および第２推定位置を数学的に組み合わせるステップを含む、システム。
【請求項４５】
請求項２８記載のシステムにおいて、前記組み合わせ位置推定値を判定する前記ステップが、更に、品質基準の関数として、最良の位置推定値を選択するステップを含む、システム。
【請求項４６】
請求項２８記載のシステムであって、更に、予め設定されたトリガに応答して、前記組み合わせ位置推定値をネットワーク・ノードに送信するように構成された、システム。
【請求項４７】
請求項２８記載のシステムであって、更に、前の位置検出要求に応答して、前記組み合わせ位置推定値をネットワーク・ノードに送信するように構成された、システム。
【請求項４８】
請求項２８記載のシステムにおいて、前記第２無線信号情報が、進行中のコールまたは進行中のデータ・セッションの間に受信される、システム。
【請求項４９】
請求項４８記載のシステムにおいて、前記第２無線信号情報が、トラフィック・チャネルにおいて受信される、システム。
【請求項５０】
請求項２８記載のシステムであって、更に、緊急サービス・コールの指示のために、移動体デバイスが発したコールを分析するように構成された少なくとも１つのサブシステムを含む、システム。
【請求項５１】
請求項５０記載のシステムにおいて、前記第２無線信号情報が、前記緊急サービス・コールの間に受信される、システム。
【請求項５２】
請求項４１記載のシステムにおいて、
前記第１無線信号情報が第１制御チャネルにおいて受信され、
前記第２無線信号情報が第２制御チャネルにおいて受信され、
前記第２推定位置を判定する前記ステップが、前記マルチモード移動体通信デバイスのために会話状態またはデータ・セッションが開始される前に実行される、システム。
【請求項５３】
請求項３１記載のシステムにおいて、前記第２サブシステムが、更に、保留のハンドオーバーの指示を受信する命令を含み、前記プロセスが前記指示に基づく、システム。
【請求項５４】
請求項２８記載のシステムにおいて、前記第１および第２グループが、少なくとも１つの共通センサ・ステーションを含み、この少なくとも１つの共通センサ・ステーションが、第１および第２無線アクセス技術双方を用いることができる、システム。
【請求項５５】
複数の無線アクセス技術を用いるワイヤレス通信システムにおいて、マルチモード移動体通信デバイスの位置を検出する方法であって、前記ワイヤレス通信システムが、無線アクセス技術のハンドオーバー・メカニズムをサポートしており、
第１無線信号情報を受信するステップであって、前記第１無線信号情報が、第１無線技術を用いて、第１グループのセンサ・ステーションにおいて、前記マルチモード移動体通信デバイスから受信される、ステップと、
前記マルチモード移動体通信デバイスのハンドオーバーの要求を示すメッセージを、第2グループのセンサ・ステーションに送信するステップと、
第２無線信号情報を受信するステップであって、前記第２無線信号情報が、第２無線アクセス技術を用いて、前記第２グループのセンサ・ステーションにおいて、前記マルチモード移動体通信デバイスから受信され、前記第１および第２グループが共通のセンサ・ステーションを、ステップと、
前記第１および第２無線信号情報の関数として、組み合わせ位置推定値を判定するステップと、
を含む、方法。
【請求項５６】
請求項５５記載の方法において、前記第１および第２無線アクセス技術が、変調技法、無線ネットワーク・トポロジ、またはチャネル帯域幅のうち少なくとも１つにおいて相違する、方法。
【請求項５７】
請求項５５記載の方法において、前記第１および第２無線アクセス技術が、変調技法、無線ネットワーク・トポロジ、およびチャネル帯域幅において相違する、方法。
【請求項５８】
請求項５５記載の方法であって、更に、前記メッセージを送信する前記ステップに先立って、そのメッセージを送信するか否か判断するプロセスを実行するステップを含む、方法。
【請求項５９】
請求項５８記載の方法において、前記プロセスが所定の規則に基づく、方法。
【請求項６０】
請求項５８記載の方法において、前記プロセスが位置検出イベントの種類に基づく、方法。
【請求項６１】
請求項５８記載の方法において、前記プロセスが情報分析の動的サービス品質に基づく、方法。
【請求項６２】
請求項５８記載の方法において、前記プロセスが前記第１位置検出の品質に基づく、方法。
【請求項６３】
請求項５８記載の方法において、前記プロセスが位置検出誤差要因に基づく、方法。
【請求項６４】
請求項５８記載の方法において、前記プロセスが、前記第１および第２センサ・ステーション・グループを用いた位置判定の過去の履歴に基づく、方法。
【請求項６５】
請求項５８記載の方法において、前記プロセスが、前記第１および第２センサ・ステーション・グループのネットワーク・トポロジに基づく、方法。
【請求項６６】
請求項５８記載の方法において、前記プロセスが、前記第１および第２センサ・ステーション・グループの位置判定能力に基づく、方法。
【請求項６７】
請求項５５記載の方法であって、更に、
前記第１無線信号情報の分析に基づいて、前記マルチモード移動体通信デバイスの第１推定(probable)位置を判定するステップと、
前記第２無線信号情報の分析に基づいて、前記マルチモード移動体通信デバイスの第２推定位置を判定するステップと、
前記第１および第２推定位置の関数として、組み合わせ位置推定値を判定するステップと、
を含む、方法。
【請求項６８】
請求項６７記載の方法において、前記第１推定位置を判定する前記ステップまたは前記第２推定位置を判定する前記ステップが、到達時間差（ＴＤＯＡ）技法を用いて実行される、方法。
【請求項６９】
請求項６７記載方法において、前記第１推定位置を判定する前記ステップまたは前記第２推定位置を判定する前記ステップが、到達角度（ＡＯＡ）技法を用いて実行される、方法。
【請求項７０】
請求項６７記載の方法において、前記組み合わせ位置推定値を判定するステップが、更に、前記第１および第２推定位置を数学的に組み合わせるステップを含む、方法。
【請求項７１】
請求項５５記載の方法において、前記組み合わせ位置推定値を判定する前記ステップが、更に、品質基準の関数として、最良の位置推定値を選択するステップを含む、方法。
【請求項７２】
請求項５５記載の方法であって、更に、予め設定されたトリガに応答して、前記組み合わせ位置推定値をネットワーク・ノードに送信するステップを含む、方法。
【請求項７３】
請求項５５記載の方法であって、更に、前の位置検出要求に応答して、前記組み合わせ位置推定値をネットワーク・ノードに送信するステップを含む、方法。
【請求項７４】
請求項５５記載の方法において、前記第２無線信号情報が、進行中のコールまたは進行中のデータ・セッションの間に受信される、方法。
【請求項７５】
請求項７４記載の方法において、前記第２無線信号情報が、トラフィック・チャネルにおいて受信される、方法。
【請求項７６】
請求項６７記載の方法において、
前記第１無線信号情報が第１制御チャネルにおいて受信され、
前記第２無線信号情報が第２制御チャネルにおいて受信され、
前記第２推定位置を判定する前記ステップが、前記移動体通信デバイスのために会話状態またはデータ・セッションが開始される前に実行される、方法。
【請求項７７】
請求項５８記載の方法であって、更に、保留のハンドオーバーの指示を受信するステップを含み、前記プロセスが前記指示に基づく、方法。
【請求項７８】
請求項５５記載の方法において、前記第１および第２グループが、少なくとも１つの共通センサ・ステーションを含み、この少なくとも１つの共通センサ・ステーションが、第１および第２無線アクセス技術双方を用いることができる、方法。
【請求項７９】
複数の無線アクセス技術を採用するワイヤレス通信ネットワークにおいて、マルチモード移動体通信デバイスの位置を検出するシステムであって、前記ワイヤレス通信ネットワークが、無線アクセス技術のハンドオーバー・メカニズムをサポートしており、
第１無線アクセス技術と関連のある第１グループのセンサ・ステーションと、
第２無線アクセス技術と関連のある第２グループのセンサ・ステーションであって、前記第１および第２グループが共通のセンサ・ステーションを備えていてもよい、第２グループのセンサ・ステーションと、
少なくとも１つのプロセッサと、この少なくとも１つのプロセッサに通信可能に結合された少なくとも１つの記憶媒体とを含むサブシステムであって、前記記憶媒体が、以下のステップ、
第１無線信号情報を受信するステップであって、前記第１無線信号情報が、前記第１グループのセンサ・ステーションにおいて前記マルチモード移動体通信デバイスから受信される、ステップと、
前記マルチモード移動体通信デバイスのハンドオーバーの要求を示すメッセージを、前記第２グループのセンサ・ステーションへ送信するステップと、
第２無線信号情報を受信するステップであって、前記第２無線信号情報が、前記第２グループのセンサ・ステーションにおいて前記マルチモード移動体通信デバイスから受信される、ステップと、
前記第１および第２無線信号情報の関数として、組み合わせ位置推定値を判定するステップと、
を実行する際に前記プロセッサに命令するコンピュータ実行可能命令を格納した、サブシステムと、
を含む、システム。
【請求項８０】
請求項７９記載のシステムにおいて、前記第１および第２無線アクセス技術が、変調技法、無線ネットワーク・トポロジ、またはチャネル帯域幅のうち少なくとも１つにおいて相違する、システム。
【請求項８１】
請求項７９記載のシステムにおいて、前記第１および第２無線アクセス技術が、変調技法、無線ネットワーク・トポロジ、およびチャネル帯域幅において相違する、システム。
【請求項８２】
請求項７９記載のシステムであって、更に、前記メッセージを送信する前記ステップに先立って、前記第２推定位置が望ましいと判断するステップを含む、システム。
【請求項８３】
請求項８２記載のシステムにおいて、前記プロセスが所定の規則に基づく、システム。
【請求項８４】
請求項８２記載のシステムにおいて、前記プロセスが位置検出イベントの種類に基づく、システム。
【請求項８５】
請求項８２記載のシステムにおいて、前記プロセスが情報分析の動的サービス品質に基づく、システム。
【請求項８６】
請求項８２記載のシステムにおいて、前記プロセスが前記第１位置検出の品質に基づく、システム。
【請求項８７】
請求項８２記載のシステムにおいて、前記プロセスが位置検出誤差要因に基づく、システム。
【請求項８８】
請求項８２記載のシステムにおいて、前記プロセスが、前記第１および第２センサ・ステーション・グループを用いた位置判定の過去の履歴に基づく、システム。
【請求項８９】
請求項８２記載のシステムにおいて、前記プロセスが、前記第１および第２センサ・ステーション・グループのネットワーク・トポロジに基づく、システム。
【請求項９０】
請求項８２記載のシステムにおいて、前記プロセスが、前記第１および第２センサ・ステーション・グループの位置判定能力に基づく、システム。
【請求項９１】
請求項７９記載のシステムであって、更に、
前記第１無線信号情報の分析に基づいて、前記マルチモード移動体通信デバイスの第１推定位置を判定する命令と、
前記第２無線信号情報の分析に基づいて、前記マルチモード移動体通信デバイスの第２推定位置を判定する命令と、
前記第１および第２推定位置の関数として、組み合わせ位置推定値を判定する命令と、
を含む、システム。
【請求項９２】
請求項９１記載のシステムにおいて、前記第１推定位置を判定する前記ステップまたは前記第２推定位置を判定する前記ステップが、到達時間差（ＴＤＯＡ）技法を用いて実行される、システム。
【請求項９３】
請求項９１記載システムにおいて、前記第１推定位置を判定する前記ステップまたは前記第２推定位置を判定する前記ステップが、到達角度（ＡＯＡ）技法を用いて実行される、システム。
【請求項９４】
請求項９１記載のシステムにおいて、前記組み合わせ位置推定値を判定するステップが、前記第１および第２推定位置を数学的に組み合わせるステップを含む、システム。
【請求項９５】
請求項７９記載のシステムにおいて、前記組み合わせ位置推定値を判定する前記ステップが、更に、品質基準の関数として、最良の位置推定値を選択するステップを含む、システム。
【請求項９６】
請求項７９記載のシステムであって、更に、予め設定されたトリガに応答して、前記組み合わせ位置推定値をネットワーク・ノードに送信するように構成された、システム。
【請求項９７】
請求項７９記載のシステムであって、更に、前の位置検出要求に応答して、前記組み合わせ位置推定値をネットワーク・ノードに送信するように構成された、システム。
【請求項９８】
請求項７９記載のシステムにおいて、前記第２無線信号情報が、進行中のコールまたは進行中のデータ・セッションの間に受信される、システム。
【請求項９９】
請求項９８記載のシステムにおいて、前記第２無線信号情報が、トラフィック・チャネルにおいて受信される、システム。
【請求項１００】
請求項９１記載のシステムにおいて、
前記第１無線信号情報が第１制御チャネルにおいて受信され、
前記第２無線信号情報が第２制御チャネルにおいて受信され、
前記第２推定位置を判定する前記ステップが、前記移動体通信デバイスのために会話状態またはデータ・セッションが開始される前に実行される、システム。
【請求項１０１】
請求項８２記載のシステムであって、更に、保留のハンドオーバーの指示を受信する命令を含み、前記プロセスが前記指示に基づく、システム。
【請求項１０２】
請求項７９記載のシステムにおいて、前記第１および第２グループが、少なくとも１つの共通センサ・ステーションを含み、この少なくとも１つの共通センサ・ステーションが、第１および第２無線技術双方を用いることができる、システム。
【請求項１０３】
ユニバーサル移動体通信システム（ＵＭＴＳ）および汎ヨーロッパ移動通信システム（ＧＳＭ）サービス双方を提供するネットワークにおいて動作可能なマルチモード移動体通信デバイスの位置を検出するシステムであって、前記ネットワークが、更に、無線アクセス技術間（Inter-RAT）ハンドオーバー／受信メカニズムを実装しており、前記システムが、
ＵＭＴＳを用いて前記マルチモード移動体通信デバイスから無線信号情報を受信するように構成された第１グループのセンサ・ステーションと、
ＧＳＭを用いて前記マルチモード移動体通信デバイスから無線信号情報を受信するように構成された第２グループのセンサ・ステーションと、
少なくとも１つのプロセッサと、この少なくとも１つのプロセッサに通信可能に結合された少なくとも１つの記憶媒体とを含むサブシステムであって、前記記憶媒体が、以下のステップ、
前記第１または第２グループのセンサ・ステーションの１つから第１無線信号情報を受信するステップと、
Inter-RATハンドオーバーまたはリダイレクトの要求を送信するステップと、
前記第１または第２グループのセンサ・ステーションの１つから第２無線信号情報を受信するステップと、
前記第１および第２無線信号情報の関数として、組み合わせ位置推定値を判定するステップと、
を実行する際に前記プロセッサに命令するコンピュータ実行可能命令を格納した、サブシステムと、
を含む、システム。
【請求項１０４】
請求項１０３記載のシステムにおいて、前記第２サブシステムが、更に、前記Inter-RATハンドオーバーまたはリダイレクトの要求を送信する前に、この要求を送信すべきか否か判断するプロセスを実行する命令を含む、システム。
【請求項１０５】
請求項１０３記載のシステムであって、更に、
前記第１無線信号情報の分析に基づいて、前記マルチモード移動体通信デバイスの第１推定位置を判定する命令と、
前記第２無線信号情報の分析に基づいて、前記マルチモード移動体通信デバイスの第２推定位置を判定する命令と、
前記第１および第２推定位置の関数として、組み合わせ位置推定値を判定する命令と、
を含む、システム。
【請求項１０６】
請求項１０３記載のシステムにおいて、前記第１推定位置を判定する前記ステップ、または前記第２推定位置を判定する前記ステップが、到達時間差（ＴＤＯＡ）技法または到達角度（ＡＯＡ）技法のうちの１つを用いて実行される、システム。
【請求項１０７】
請求項１０５記載のシステムにおいて、前記組み合わせ位置推定値を判定する前記ステップが、更に、前記第１および第２推定位置を数学的に組み合わせるステップを更に含む、システム。
【請求項１０８】
請求項１０３記載のシステムにおいて、前記組み合わせ位置推定値を判定する前記ステップが、更に、品質基準の関数として、最良の位置推定値を選択するステップを含む、システム。
【請求項１０９】
請求項１０３記載のシステムであって、更に、緊急サービス・コールの指示のために、移動体デバイスが発したコールを分析するように構成された少なくとも１つのサブシステムを含み、前記第２無線信号情報が、前記緊急サービス・コールの間に受信される、システム。
【請求項１１０】
請求項１０５記載のシステムにおいて、
前記第１無線信号情報が第１制御チャネルにおいて受信され、
前記第２無線信号情報が第２制御チャネルにおいて受信され、
前記第２推定位置を判定する前記ステップが、前記マルチモード移動体通信デバイスのために会話状態またはデータ・セッションが開始される前に実行される、システム。
【請求項１１１】
請求項１０３記載のシステムであって、前記第２サブシステムが、更に、保留のハンドオーバーの指示を受信する命令を含み、前記プロセスが前記指示に基づく、システム。
【請求項１１２】
請求項１０３記載のシステムにおいて、前記第１および第２グループが、少なくとも１つの共通センサ・ステーションを含み、この少なくとも１つの共通センサ・ステーションがＧＳＭおよびＵＭＴＳ双方を用いることができる、システム。
【請求項１１３】
複数の無線アクセス技術を用いるワイヤレス通信システムにおいて、マルチモード移動体通信デバイスの位置を検出する方法であって、前記ワイヤレス通信システムが、無線アクセス技術のハンドオーバー・メカニズムをサポートしており、
第１無線アクセス技術を用いて、第１グループのセンサ・ステーションにおいて、前記マルチモード移動体通信デバイスから第１無線信号情報を受信するステップと、
前記第１無線信号情報の分析に基づいて、前記マルチモード移動体通信デバイスの第１推定位置を判定するステップと、
前記マルチモード移動体通信デバイスの、第２グループのセンサ・ステーションへのハンドオーバーを発生させるステップと、
第２無線アクセス技術を用いて、前記第２グループのセンサ・ステーションにおいて、前記マルチモード移動体通信デバイスから第２無線信号情報を受信するステップと、
前記第２無線信号情報の分析に基づいて、前記マルチモード移動体通信デバイスの第２推定位置を判定するステップと、
前記第１および第２推定位置の関数として、組み合わせ位置推定値を判定するステップと、
を含む、方法。
【請求項１１４】
マルチモード移動体通信デバイスの位置検出システムであって、
第１無線アクセス技術を用い、この第１無線アクセス技術を用いてマルチモード移動体通信デバイスから第１無線信号情報を受信するように構成された第１グループのセンサ・ステーションと、
第２無線アクセス技術を用い、この第２無線アクセス技術を用いてマルチモード移動体通信デバイスから第２無線信号情報を受信するように構成された第２グループのセンサ・ステーションであって、前記第１および第２グループが共通のセンサ・ステーションを、第２グループのセンサ・ステーションと、
少なくとも１つのプロセッサと、この少なくとも１つのプロセッサに通信可能に結合された少なくとも１つの記憶媒体とを含む第１サブシステムであって、前記記憶媒体が、無線アクセス技術のハンドオーバー・メカニズムを実装するように前記プロセッサに命令するコンピュータ実行可能命令を格納した、第１サブシステムと、
少なくとも１つのプロセッサと、この少なくとも１つのプロセッサに通信可能に結合された少なくとも１つの記憶媒体とを含む第２サブシステムであって、前記記憶媒体が、以下のステップ、
前記第１無線信号情報を受信するステップと、
無線アクセス技術のハンドオーバーの要求を送信するステップと、
前記第２無線信号情報を受信するステップと、
前記第１無線信号情報の分析に基づいて、前記マルチモード移動体通信デバイスの第１推定位置を判定するステップと、
前記第２無線信号情報の分析に基づいて、前記マルチモード移動体通信デバイスの第２推定位置を判定するステップと、
前記第１および第２推定位置の関数として、組み合わせ位置推定値を判定するステップと、
を実行する際に前記プロセッサに命令するコンピュータ実行可能命令を格納した、第２サブシステムと、
を含む、システム。
【請求項１１５】
複数の無線アクセス技術を用いるワイヤレス通信システムにおいて、マルチモード移動体通信デバイスの位置を検出する方法であって、前記ワイヤレス通信システムが、無線アクセス技術のハンドオーバー・メカニズムをサポートしており、
第１無線信号情報を受信するステップであって、前記第１無線信号情報が、第１無線技術を用いて、第１グループのセンサ・ステーションにおいて、前記マルチモード移動体通信デバイスから受信される、ステップと、
前記第１無線信号情報の分析に基づいて、前記移動体通信デバイスの第１推定位置を判定するステップと、
前記マルチモード移動体通信デバイスのハンドオーバーの要求を示すメッセージを、第２グループのセンサ・ステーションへ送信するステップと、
第２無線信号情報を受信するステップステップであって、前記第２無線信号情報が、第２無線アクセス技術を用いて、前記第２グループのセンサ・ステーションにおいて、前記マルチモード移動体通信デバイスから受信され、前記第１および第２グループが共通のセンサ・ステーションを、ステップと、
前記第２無線信号情報の分析に基づいて、前記マルチモード移動体通信デバイスの第２推定位置を判定するステップと、
前記第１および第２推定位置の関数として、組み合わせ位置推定値を判定するステップと、
を含む、方法。
【請求項１１６】
複数の無線アクセス技術を採用するワイヤレス通信ネットワークにおいて、マルチモード移動体通信デバイスの位置を検出するシステムであって、前記ワイヤレス通信ネットワークが、無線アクセス技術のハンドオーバー・メカニズムをサポートしており、
第１無線アクセス技術と関連のある第１グループのセンサ・ステーションと、
第２無線アクセス技術と関連のある第２グループのセンサ・ステーションであって、前記第１および第２グループが共通のセンサ・ステーションを備えていてもよい、第２グループのセンサ・ステーションと、
少なくとも１つのプロセッサと、この少なくとも１つのプロセッサに通信可能に結合された少なくとも１つの記憶媒体とを含むサブシステムであって、前記記憶媒体が、以下のステップ、
第１無線信号情報を受信するステップであって、前記第１無線信号情報が、前記第１グループのセンサ・ステーションにおいて前記マルチモード移動体通信デバイスから受信される、ステップと、
前記第１無線信号情報の分析に基づいて前記移動体通信デバイスの第１推定位置を判定するステップと、
前記マルチモード移動体通信デバイスのハンドオーバーの要求を示すメッセージを、前記第２グループのセンサ・ステーションへ送信するステップと、
第２無線信号情報を受信するステップであって、前記第２無線信号情報が、前記第２グループのセンサ・ステーションにおいて前記マルチモード移動体通信デバイスから受信される、ステップと、
前記第２無線信号情報の分析に基づいて、前記マルチモード移動体通信デバイスの第２推定位置を判定するステップと、
前記第１および第２推定位置の関数として、組み合わせ位置推定値を判定するステップと、
を実行する際に前記プロセッサに命令するコンピュータ実行可能命令を格納した、サブシステムと、
を含む、システム。
【請求項１１７】
全世界移動体電気通信システム（ＵＭＴＳ）および汎ヨーロッパ移動通信システム（ＧＳＭ）サービス双方を提供するネットワークにおいて動作可能なマルチモード移動体通信デバイスの位置を検出するシステムであって、前記ネットワークが、更に、無線アクセス技術間（Inter-RAT）ハンドオーバー／受信メカニズムを実装しており、前記システムが、
ＵＭＴＳを用いて前記マルチモード移動体通信デバイスから無線信号情報を受信するように構成された第１グループのセンサ・ステーションと、
ＧＳＭを用いて前記マルチモード移動体通信デバイスから無線信号情報を受信するように構成された第２グループのセンサ・ステーションと、
少なくとも１つのプロセッサと、この少なくとも１つのプロセッサに通信可能に結合された少なくとも１つの記憶媒体とを含むサブシステムであって、前記記憶媒体が、以下のステップ、
前記第１または第２グループのセンサ・ステーションの１つから第１無線信号情報を受信するステップと、
Inter-RATハンドオーバーまたはリダイレクトの要求を送信するステップと、
前記第１または第２グループのセンサ・ステーションの１つから第２無線信号情報を受信するステップと、
前記第１無線信号情報の分析に基づいて、前記マルチモード移動体通信デバイスの第１推定位置を判定するステップと、
前記第２無線信号情報の分析に基づいて、前記マルチモード移動体通信デバイスの第２推定位置を判定するステップと、
前記第１および第２推定位置の関数として、組み合わせ位置推定値を判定するステップと、
を実行する際に前記プロセッサに命令するコンピュータ実行可能命令を格納した、サブシステムと、
を含む、システム。
【発明の詳細な説明】
【技術分野】
【０００１】
相互引用
[0001]  本願は、２００８年１１月１１日に出願され、現在係属中の米国特許出願第１２／２６８，７１９号の優先権を主張する。この出願をここで引用したことにより、その内容全体が、本願にも含まれるものとする。
【０００２】
[0002]  本明細書において記載する主題は、一般的には、セルラ無線ネットワークおよび他の形式の音声またはデータ・ワイヤレス通信システムを用いてワイヤレス・デバイスの位置を検出する方法およびシステムに関する。更に特定すれば、本明細書において記載する主題は、ネットワーク・ベース位置検出技法を用いてワイヤレス・デバイスの位置を検出するための、連続または複数の無線エア・インターフェースを用いた複数の位置検出推定の使用に関するが、これだけに限定されるのではない。
【従来技術】
【０００３】
[0003]  ネットワーク・ベースのワイヤレス位置検出システムに関する初期の業績は、到着時間差（TDOA）技法を使用してセルラ電話機の位置を突き止めるためのシステムを開示する米国特許第５,３２７,１４４号、"Cellular Telephone Location System"（セルラ電話位置検出システム）において説明されている。この特許は、本願と譲受人を同じくする。’１４４号特許において開示されたシステムの更なる改良が、米国特許第５,６０８,４１０号、”System for Locating a Source of Bursty Transmissions”（バースト送信源の位置を突き止めるためのシステム）において開示されている。この特許も、本願と譲受人を同じくする。
【０００４】
[0004]  ネットワーク・ベースのワイヤレス位置検出システムの位置検出能力を向上させるための移動体送信の変更が、本願と譲受人を同じくする以下の米国特許において既に開示されている。
【０００５】
・米国特許第６，０９７，３３６号、”Method for Improving the Accuracy of a Wireless Location System”（無線位置検出システムの精度を高める方法）、
・米国特許第６，１１５，５９９号、”Directed Retry Method for Use in a Wireless Location System”（無線位置検出システムに用いるための指向型再試行方法）
・米国特許第６，４６３，２９０号、”Mobile-assisted network-based techniques for improving accuracy of wireless location system”（無線位置検出システムの精度を高めるための移動機補助ネットワークに基づく技術）、
・米国特許第６，５１９，４６５号、”Modified Transmission Method for Improving Accuracy for E-911 Calls”（Ｅ−９１１通話の精度を高めるために改良した送信方法）。
【０００６】
[0005]  予期されるまたは要求された位置検出サービス品質を達成するために並列なまたは連続的な位置検出推定値を用いることが、本願と譲受人を同じくする以下の米国特許において既に開示されている。
【０００７】
・米国特許第６，５０３，４２８号、”Multiple Pass Location Processing”（多重パス位置検出処理）、
・米国特許第６，８７３，２９０、”Multiple Pass Location Processor”（多重パス位置検出プロセッサ）、
・米国特許第７，０２３，３８３号、"Multiple Pass Location Processor"（多重パス位置検出プロセッサ）
[0006]  ユニバーサル移動体通信システム（ＵＭＴＳ：Universal Mobile Telecommunications System）、広帯域符号分割多元接続（ＣＤＭＡ）変調エア・インターフェースというような第三世代移動体サービスが、世界の多くのエリアにおいて展開されている。展開が更に広がるまでは、カバレッジは完全ではない場合もあり、したがって、カバレッジ・エリアの中には、第三世代サービスが利用できないところもあり、第三世代および旧来のサービスの混合が提供されることもあり得る。例えば、１つのカバレッジ・エリアでは、汎欧州ディジタル移動電話方式通信（ＧＭＳ：Global System for Mobile）サービスしか提供することができず、一方隣接するカバレッジ・エリアでは、混合ＵＭＴＳ／ＧＰＳサービスを提供できるということもあり得る。つまり、ＵＭＴＳおよびＧＳＭ技術双方が装備されている移動体端末であれば、カバレッジ・エリア間で移動する間に、継ぎ目のない移動体サービスを移動体ユーザに提供することができる。このような二重モード移動体端末は、ＵＭＴＳおよびＧＳＭ技術の間においてハンドオフ・メカニズムを必要とする場合がある。例えば、ユーザがＵＭＴＳ技術を用いて音声コールを設定し、次いでＵＭＴＳカバレッジの外側に移動した場合、中断が知覚されることなくこの音声コールをＧＳＭネットワークに引き継ぐことができることが望ましい。このようなハンドオーバー・メカニズムは、無線間アクセス技術（Inter-RAT：Inter-Radio Access Technologies)ハンドオーバー技法によって設けられる。Inter-RAT能力は、二重モードＵＭＴＳおよびＧＳＭ移動体デバイスのコンテキストでは、第三世代パートナーシップ・プロジェクト（３ＧＰＰ）規格によってサポートされている。
【０００８】
[0007]  多様な無線アクセス技術（例えば、ＡＭＰＳ、ＴＤＭＡ、ＧＳＭ、ｉＤＥＮ、ＣＤＭＡ、Ｗ-ＣＤＭＡ、およびＯＦＤＭ）が、移動体デバイスの位置検出において、何らかの利点や欠点をももたらすことがある。例えば、アンテナ配置またはダウンティルト(downtilt)というような第２無線ネットワーク・タイプによって得られる様々な特性が、ネットワーク・ベース位置検出判定を一層高精度にすることができる。また、第２無線ネットワーク・タイプは、第１無線ネットワークを用いると遭遇する問題を軽減することもできる。ネットワーク・ベース位置検出に複数の無線ネットワークを用いると、無線ネットワークの異なるトポロジを利用することもできる。例えば、一方のネットワークが他方よりもセル・サイトの間隔が広い場合や、狭い場合もある。場合によっては、第２無線ネットワークの方が、第１無線ネットワークよりも高い地理的精度希釈（Ｇ-ＤＯＰ：geometric dilution of precision）を備えることもある。加えて、双方のネットワークの組み合わせによって、いずれか一方のネットワークよりも高いＧ-ＤＯＰが得られることもある。
【０００９】
[0008]  TruePosition Location Platform（ツルーポジション社の位置検出プラットフォーム）（ワイヤレス位置検出システム（ＷＬＳ）としても知られている）のような、これまでの位置判定システムは、二重モードＵＭＴＳおよびＧＳＭ移動体デバイスおよびInter-Rat機構を用いて、Inter-RATハンドオーバー技法を用いる位置判定をサポートした。混合ＵＭＴＳ-ＧＳＭネットワークを用いる位置判定は、低レート位置検出サービス（９-１-１、１-１-２、および９-９-９サービスのような緊急サービス）を、アイドル・モードおよびコール最中(mid-call)のシナリオ双方に合わせて、もっと進んだ二重モードＧＳＭおよびＵＭＴＳ位置測定ユニット（ＬＭＵ）ネットワークを設置する必要なく、提供するために用いられている。
【００１０】
[0009]  Inter-RATハンドオーバー技法の展開には、通例、ワイヤレス運営者のＵＭＴＳ無線アクセス・ネットワーク（ＲＡＮ）の販売業者が、Inter-RATハンドオーバー機構を、その移動体交換局（ＭＳＣ）ソフトウェアにおいてサポートすることが必要となる。このハンドオーバー能力は、ＵＭＴＳ移動局のための位置判定を、二重モードＵＭＴＳ／ＧＳＭネットワークにおいて、到達時間差（ＴＤＯＡ）、即ち、ＴＤＯＡ、および到達角度（ＡｏＡ）位置検出技法を用いて、ＡＭＰＳ、ＴＤＭＡ、およびＧＳＭ位置検出のために設置されたＬＭＵに基づいてサポートするために用いることができる。例えば、二重モードＧＳＭおよびＵＭＴＳエア・インターフェースのサポートは、通例、先に論じたように、ＵＭＴＳネットワークの配備が限られているため、新たなＵＭＴＳ移動体デバイスに利用可能である。また、電気通信事業者の中には、国際ローミングのためにＵＭＴＳ（または他の３Ｇ技術）をサポートする移動体デバイスを配備するものもある。
【発明の概要】
【発明が解決しようとする課題】
【００１１】
[0010]  しかしながら、既存のマルチモード・システム（ハンドオーバー能力を有するＵＭＴＳ／ＧＳＭ二重モードのシナリオのような）は、位置判定のために無線技術の多様性を利用していない。ＵＭＴＳ／ＧＳＭの例では、ハンドオーバー・メカニズムは、第１技術が利用できないときに、第２無線技術を用いるように移動体デバイスに指令するために用いることができる。しかしながら、既存のシステムは、例えば、ＵＭＴＳを用いる第１位置検出、およびそれに続いてＧＳＭを用いる第２位置検出システムを用いた位置判定をサポートしない。また、第２位置判定が第１位置判定の結果を改善できるか否か判断するために、第１位置判定の分析を最初に実行すると、有利となることもあろう。更に、制御チャネルおよびトラフィック・チャネル双方を利用して、更に多くの多様性の機会を提供することも有利となることもあろう。つまり、現在および開発中のワイヤレス通信ネットワークのマルチモード移動体デバイスの能力およびInter-RAT機能の利用度を一層高めて、位置推定能力を高めることを可能にすることが求められている。
【課題を解決するための手段】
【００１２】
[0011]  本明細書では、１つ以上の無線アクセス技術からの測定値を用いてマルチモード移動体デバイスについて位置推定値を決定し、組み合わせた位置検出解を提供する種々の方法およびシステムを開示する。ワイヤレス通信システムのInter-RAT能力を用いて、マルチモード移動体通信デバイスは、少なくとも１つのセンサ・ステーションを備えている第１無線ネットワークにおいて信号を送信することができる。この移動体通信デバイスは、任意に、送信された信号を用いて、第１無線ネットワークにおいてその位置を検出することができる。各センサ・ステーションは、更に、例えば、ＬＭＵおよびアンテナ、ならびに基地局と関連のある電力および他のバックホール機器を備えることができる。更に、各センサ・ステーションは、第１変調技法、無線ネットワーク・トポロジ、および移動体通信デバイスと通信するためにチャネル帯域によって特徴付けることができる。次いで、移動体通信デバイスを、少なくとも１つのセンサ・ステーションを備えている第２無線ネットワークに移すことができる。第２ネットワークの各センサ・ステーションは、更に、例えば、ＬＭＵおよびアンテナ、ならびに基地局と関連があり、更に第２無線変調技法、無線ネットワーク／トポロジ、およびチャネル帯域幅によって特徴付けられる、電力および他のバックホール機器を備えることができる。マルチモード移動体通信デバイスは、第２無線ネットワークにおいて信号を送信することができる。移動体通信デバイスは、任意に、この送信された信号を用いて、第２無線ネットワークにおいてその位置を検出することができる。次いで、第１および第２送信信号、および／または第１および第２の位置を用いて、組み合わせ位置推定値を求めることができる。一実施形態では、第１無線ネットワークを最初に分析して、第２位置検出無線ネットワークが望まれるか否か判断することができる。実施形態によっては、第２ネットワークが第１ネットワークと同一であってもよく、共通のネットワーク・リソースを共有することもできる。他の実施形態では、第２ネットワークは、変調、トポロジ、帯域幅、および位置推定に関する他の要因に関して異なる場合もある。
【００１３】
[0012]  一実施形態では、移動体ワイヤレス・デバイスに、２つ以上無線アクセス技術で（並列または直列のいずれかで）チャネルを設定するように命令することができる。次いで、各チャネルにおいて測定を行い、この測定値を用いて１つの位置推定値を計算することができる。この機能は、各無線ネットワークにおいて利用可能なネットワーク・ベース・ワイヤレス位置検出技術に基づいて指令することができる。例えば、大きなＧＳＭマクロセルを用いるマルチモード・ワイヤレス・デバイスを、それよりも小さなＵＭＴＳベースのピコセルに移すことができる。ＵＭＴＳベースのピコセルでは、その後、セル-ＩＤ、セル-ＩＤおよび時間または電力に基づく測距、到達電力差、あるいは、Ｏ-ＴＤＯＡ、ＥＣＩＤ、またはＡＦＬＴのような移動体ベース（ダウンリンク）位置推定技法を用いることができる。更に別の実施形態では、第１および第２位置判定を、制御チャネルを用いて実行し、続いて、トラフィック・チャネルを用いて、第１および第２の位置判定を行うことができる。
【００１４】
[0013]  以上のことに加えて、本開示の一部をなす特許請求の範囲、図面、および本文には、他の態様についても記載されている。本開示の１つ以上の種々の態様は、本明細書において引用する本開示の態様を実施するための回路および／またはプログラミングを含むことができるが、これらに限定されるのではない。これらの回路および／またはプログラミングは、システム設計者の設計選択に応じて、本明細書において引用する態様を実施するように構成されているハードウェア、ソフトウェア、および／またはファームウェアの事実上あらゆる組み合わせでも可能である。
【００１５】
[0014]  尚、この摘要は、詳細な説明において以下で更に説明する概念から選択したものを、簡略化した形態で紹介するために設けたことを記しておく。この摘要は、特許請求する主題の主要な特徴や必須の特徴を特定することを意図するのでなければ、特許請求する主題の範囲を判断する際に補助として用いられることを意図するのでもない。
【図面の簡単な説明】
【００１６】
[0015]  以上の摘要、および以下の詳細な説明は、添付図面と合わせて読むと一層深く理解することができる。本開示を例示するために、本開示の種々の態様を示す。しかしながら、本開示は示される具体的な態様に限定されるのではない。以下の図面が含まれる。
【図１】図１は、代表的な二重モードＧＳＭおよびＵＭＴＳワイヤレス通信ネットワークを概略的に示す。
【図２】図２は、代表的な二重モード（ＧＳＭおよびＵＭＴＳ）ワイヤレス通信ネットワークを、オーバーレイＴＤＯＡ、マルチ位置検出技術ＳＭＬＣを用いるＴＤＯＡ／ＡｏＡワイヤレス位置検出システム、リンク監視システム、および無線ネットワーク・モニタと共に模式的に示す。
【図３】図３は、コールの開始または制御チャネルのみの位置検出イベントのための制御チャネルにおけるInter-RATリダイレクト(redirection)と関連のあるイベントおよびメッセージングの一例を示す。
【図４】図４は、コール最中位置検出イベントのためのトラフィック・チャネルにおけるInter-RATハンドオフと関連のあるイベントおよびメッセージングの一例を示す。
【図５ａ】図５ａは、緊急サービス・コールの位置検出の際におけるInter-RATの使用と関連のあるイベントの一例を示す。
【図５ｂ】図５ｂは、緊急サービス・コールの位置検出の際におけるInter-RATの使用と関連のあるイベントの一例を示す。
【図６】図６は、ワイヤレス位置検出システムのサブシステム例を示す。
【図７】図７は、図１から図６の態様を実現するように構成することができる計算システムの一例を示す。
【発明を実施するための形態】
【００１７】
[0023]  以下の説明および図面には、本発明の種々実施形態の完全な理解が得られるようにするために、ある種の具体的な詳細について明記する。計算機およびソフトウェア技術と関連があることが多いある種の周知の詳細については、本発明の種々の実施形態を不必要に曖昧にするのを避けるために、以下の開示では明記しないこととする。更に、当業者は、以下の説明する詳細のうち１つ以上がなくても、本発明の他の実施形態を実施できることが理解されよう。最後に、以下の開示ではステップおよびシーケンスを参照して種々の方法について説明するが、このような説明は本発明の実施形態の明確な実現を提供するためであり、ステップやステップのシーケンスが本発明を実施するために必要であるというようには解釈しないこととする。
【００１８】
[0024]  尚、本明細書において記載する種々の技法は、ハードウェアまたはソフトウェア、あるいはしかるべきときには、双方の組み合わせと共に実現できることは言うまでもない。つまり、本発明の方法および装置、あるいはある種の態様またはその一部は、フロッピ・ディスケット、ＣＤ-ＲＯＭ、ハード・ドライブ、または任意の他の機械読み取り可能記憶媒体というような、有形媒体に具体化されたプログラム・コード（即ち、命令）という形態をなすことができる。このプログラム・コードをコンピュータのようなマシンにロードしてこのマシンによって実行すると、このマシンが本発明を実施する装置となる。プログラマブル・コンピュータにおけるプログラム・コードの実行の場合、計算機は、一般に、プロセッサ、このプロセッサによって読み取り可能な記憶媒体（揮発性および不揮発性メモリ、およびすらまたは記憶エレメントを含む）、少なくとも１つの入力デバイス、および少なくとも１つの出力デバイスを含む。1つ以上のプログラムは、例えば、ＡＰＩ、再利用可能な制御部等の使用によって、本発明との関連で説明するプロセスを実現または利用することができる。このようなプログラムは、好ましくは、コンピュータ・システムと通信するように、高度手順またはオブジェクト指向プログラミング言語で実施される。しかしながら、プログラム（１つまたは複数）は、望ましいのであれば、アセンブリまたは機械語で実施することもできる。いずれの場合でも、言語は、コンパイル言語またはインタプリタ言語でもよく、そしてハードウェアの実施態様と組み合わせてもよい。
【００１９】
[0025]  種々の無線アクセス技術（例えば、ＡＭＰＳ、ＴＤＭＡ、ＧＳＭ、ｉＤＥＮ、ＣＤＭＡ、Ｗ-ＣＤＭＡ、およびＯＦＤＭ）は、通例、同じ地理的エリアまたはサービス・エリアの中で共存している。このようなエリアは、通常、政府の規制によって形成され、複数の帯域（例えば、セルラ、ＰＣＳ、ＤＣＳ、ＡＷＳ等）を複数のワイヤレス電気通信事業者に割り当てることもある。
【００２０】
[0026]  ワイヤレス電気通信事業者は、旧来の加入者やローミングする(roaming)加入者をサポートするために、同じ地理的エリア内において複数の無線エア・インターフェースを動作させることもある。多くの場合、これら複数のエア・インターフェースは、別の周波数帯域において動作させられる。更に、加入者は、増々、マルチバンド、マルチモード・ワイヤレス音声およびデータ対応デバイスを彼らの通信の必要性のために用いつつある。
【００２１】
[0027]  ネットワーク・ベースのワイヤレス位置検出システムは、地理的サービス・エリアに配備されると、ワイヤレス通信ネットワークまたは地理的に当該エリア全域に分散することができる、ＬＭＵと呼ばれる特殊受信機を用いた複数の通信ネットワークにおける全てのハンドセットに位置検出能力を提供することができる。例えば、TruePosition Location Platformは、高速(high-rate)、低レイテンシ、セル-ＩＤ、ＴＤＯＡ、ＡｏＡ、および広帯域マルチモード受信機を用いる混成ＴＤＯＡ／Ａ-ＧＰＳ位置検出能力を提供する。マルチモードＬＭＵネットワーク広帯域ソフトウェア定義無線（ＳＤＲ：software-defined-radio）受信機は、複数の同時ＴＤＤまたはＦＤＤ信号受信および位置推定を、７００／８００／９００、１５００／１７００／１８００／１９００、２１００／２３００／２６００／３５００メガヘルツの米国および国際許諾ワイヤレス帯域全域、ならびに５００ＭＨｚから３５００ＭＨｚまでの無許諾帯域において行うことができる。
【００２２】
[0028]  Inter-RAT位置検出技法の配備によって、マルチモード・ワイヤレス・デバイス、マルチモードＬＭＵ、およびその移動管理ソフトウェアにおいてInter-RATハンドオーバーをサポートするワイヤレス・ネットワーク運営業者のインフラストラクチャを一体にすることができる。このハンドオーバー能力は、通例、多くのＭＳＣ販売業者によってサポートされており、既にＡＭＰＳ、ＴＤＭＡ、およびＧＳＭ位置判定のために設置されている旧式のＬＭＵに基づいて、ＴＤＯＡまたはＴＤＯＡおよびＡｏＡ位置検出技法を用いて、二重モードＵＭＴＳ／ＧＳＭネットワークにおいてＵＭＴＳ移動局のために位置判定をサポートするために用いられている。
【００２３】
[0029]  各無線エア・インターフェース技術は、移動体デバイスの位置検出に関して種々の特性を呈する。例えば、ＣＤＭＡ（ＩＳ-９５、ＩＳ-２０００、およびＵＭＴＳワイヤレス・ネットワーク）と共に用いられるようなスペクトル拡散信号は、それらの帯域の方が広いことにより、非常に精度が高いＴＤＯＡおよびＡｏＡ推定値を生成することができるが、非常に緊密なループ電力制御のために、近-遠問題が生ずる。逆に、ＧＳＭ波形の方が近-遠問題が生じにくいが、通例、解明できないマルチパス成分のために、ＴＤＯＡおよびＡｏＡ推定誤差が大きくなる。同様の測定多様性が、ダウンリンク（移動体発生）測定にも存在する。
【００２４】
[0030]  ＴＤＯＡは、地理的に分散されている受信サイトの対間における信号伝搬時間の差を測定し、相関処理によって位置を判定することを基本とする。ワイヤレス通信ネットワークは、当然、ＴＤＯＡ／ＦＤＯＡ技術の適用に適している。何故なら、多くのセル・サイトが地理的エリアにわたって分散されており、カバレッジの領域を提供するからである。更に、ワイヤレス提供業者は、サイト間の干渉を極力抑えるために、彼らのチャネルを多くの周波数にわたって分散する。つまり、１つのサイトのみが任意の１時点においてコールを処理しても、周波数再利用パターンのために、実際にワイヤレス電話機の送信を受信するサイトの数は多い。ＴＤＯＡ技術は、通例、信号の受信を複数のサイトにおいて検出する必要がある。加えて、これらの受信サイトにおける受信機は、通例、精度高く時間同期されていなければならない。何故なら、無線波は光速（ナノ秒当たり約１フィート）で伝搬するからである。２箇所のサイト間における伝搬時間差は、サイトＡにおいて受信した信号をサイトＢにおいて受信した信号と相関付けることによって測定することができる。相関関数A(τ,f)は、次のように表すことができる。
【００２５】
【数１】
2012508390.tif 000003
【００２６】
[0031]  移動体デバイスの信号は、２カ所の時間同期したサイトにおいて、時間期間Ｔ、遅延（τ）、およびドプラ周波数（ｆ）で測定され、A(τ,f)を最大にするように変化させられる。一旦τmaxが決定されたなら、送信のソースは、２箇所の受信サイトを焦点とする双曲線上に位置することが知られている。曖昧さを解明するために、他のサイトにおいて受信された信号も相関付けて、他の双曲線を求める。これら複数の別個の双曲線の交点が、一意の位置を決定することができる。
【００２７】
[0032]  理論的に、ＴＤＯＡ推定の精度は、積分時間、各受信サイトにおける信号対ノイズ比（ＳＮＲ）、および送信される信号の帯域幅というような、様々な実用上の要因によって制限される。クラメール-ラオ境界（ＣＲＬＢ）は、この依存性を示し、次のように近似することができる。
【００２８】
【数２】
2012508390.tif 000004
【００２９】
[0033]  ここで、frmsは信号のＲＭＳ帯域幅、ｂは受信機のノイズ等価帯域幅、Ｔは積分時間、そしてＳは２カ所のサイトのうち小さい方のＳＮＲである。ＴＤＯＡの式は、下側の境界を表す。実際には、システムは干渉およびマルチパスに対処しなければならず、これらの双方は有効なＳＮＲを低下させる傾向がある。TruePosition社のPathFinder（商標）アルゴリズムは、企業固有の超解明技法を利用して、干渉およびマルチパスの有害な影響を軽減する。
【００３０】
[0034]  また、ＣＲＬＢは、到達角度（ＡｏＡ）位置検出技法に合わせて決定することもできる。理論的には、ＣＲＬＢは、次のように表すことができる。
【００３１】
【数３】
2012508390.tif 000005
【００３２】
ここで、ｍはＡｏＡアレイのサイズに比例する量を波長で表したもの、Ｔは積分時間、そしてＳＮＲは信号対ノイズ比である。
【００３３】
[0035]  送信機の位置に対する受信サイトのジェオメトリも、位置推定値の精度に影響を及ぼすことがある。位置検出誤差、測定誤差、およびジェオメトリの間には関係が存在する。ジェオメトリの効果は、スカラー量によって現される。このスカラー量は、測定誤差を拡大するように、または計算結果の正確度を希釈するように作用する。この量を正確度の水平希釈（ＨＤＯＰ：Horizontal Dilution of Precision）と呼び、ＲＭＳ測定値に対するＲＭＳ位置誤差をσと呼ぶ。数学的には、この量を次のように書くことができる（Leick, A., “GPS Satellite Surveying”（ＧＰＳ衛星調査）、John Wiley & Son, 1995, p.253を参照のこと）。
【００３４】
【数４】
2012508390.tif 000006
【００３５】
ここで、σn2およびσe2は、水平成分の、測定値の共分散マトリクスからの分散である。物理的に、最良のＨＤＯＰを求めることができるのは、双曲線の交点が直交するときである。理想的な状況が生じ得るのは、発信元(emitter)が円の中心にあり、受信サイトの全てがこの円の円周に均一に分散されているときである。
【００３６】
[0036]  図１は、Inter-RAT位置判定を組み込んだ実施態様例の地理的描画である。この図に示すように、マルチモード移動体デバイス１０１が、第1無線チャネル、帯域幅、変調、およびプロトコルを用いて、第1無線リンク１１１を通じて、サービング・セル１１９と通信することができる。移動体アップリンク送信１０６、１０８，１１１は、少なくとも３つの近隣および近接ＬＭＵ１１３の第1ローカル・クラスタによって検出可能であり、したがって到達時間差（ＴＤＯＡ）位置推定値、到達角度（ＡｏＡ）位置推定値、混成ＴＤＯＡ／ＡｏＡ位置推定値を求めるために用いることができ、あるいは混成ＴＤＯＡ／ＧＰＳ位置計算に寄与することができる。図示のように、第1ローカルＬＭＵクラスタ１１３は、基地局１１９、１２０、１２１と一緒に配置されている。単独ＬＭＵを専用アンテナ、電力およびバックホール設備(power and backhaul facilities)と一緒に含めることは、代替実施形態において行うことができる。本明細書において開示する種々の実施形態では、ＬＭＵは任意に追加のアンテナ、電力およびバックホール設備、ならびに基地局に関連する他の機能と統合されている場合、センサ・ステーションと一般に呼ぶこともできる。ＬＭＵの機能を基地局およびその関連のある無線アクセス技術と統合するか否かについての選択は、設計者に委ねられる。したがって、本明細書において開示する原理は、ＬＭＵを構成するセンサ・ステーション、基地局機能と統合されたＬＭＵ、および基地局と一緒に配置されているＬＭＵにも適用可能である。
【００３７】
[0037]  ＳＭＬＣ１１５は、ＳＭＬＣ-ＬＭＵパケット・データ・リンク１１４を通じて、ＬＭＵ作業割り当て(tasking)を調整することができる。また、ＳＭＬＣ１１５は、ＬＭＵタイミング・データ、ＧＰＳ疑似距離のような他の随伴情報、移動体収集セル-ＩＤ、および入手可能であればタイミングまたは電力測定値も受信する。また、ＳＭＬＣ１１５は、最終位置推定値も生成する。ＳＭＬＣ１１５は、自律位置（予め設定されているトリガに応答して生成される）をワイヤレス通信ネットワーク・ノード（ＭＰＣまたはＧＭＬＣのようなノード、図示せず）にプッシュするか、または外部位置検出サービス・ノード（図示せず）からの前の位置検出要求に応答することができる。ＳＭＬＣ１１５は、割り当てられたワイヤレス通信ネットワーク（１つまたは複数）または外部位置検出サービス・ノード（１つまたは複数）との複数のディジタル・パケット通信リンク１１６、１１７を維持することができる。
【００３８】
[0038]  移動体デバイスが制御チャネルまたはトラフィック・チャネルのいずれかにあるときの通信セッションの間、ＳＭＬＣ１１５は、ローカル・ワイヤレス通信ネットワークおよびマルチモード移動体デバイス１０１によってサポートされる第2無線エア・インターフェースにおいて、第2位置推定値を算出する(develop)ことを要求することができる。ＳＭＬＣ１１５は、サービング・ワイヤレス通信ネットワーク、通常では移動体交換局（ＭＳＣ）に、第2無線アクセス技術（ＲＡＴ）の使用が要求されたことを知らせることができる。移動局にはＷＣＮによって知らせることができ、リダイレクト（現在制御チャネルにある場合）またはハンドオフ（移動体が現在トラフィック・チャネルにある場合）を、移動体デバイス１０１およびＷＣＮによって行うことができる。
【００３９】
[0039]  一旦移動体デバイス１０１が第2無線エア・インターフェースを使用し始めたなら、ＳＭＬＣ１１５はＬＭＵ１１３、１１８の第２クラスタにタスクを課することができる。第２位置推定に用いられるＬＭＵの選択は、ネットワーク・トポロジ、局地的な無線状態、基地局がサポートする技術、あるいは無線アクセス技術またはサポートされる周波数帯域に対するＬＭＵ能力にも基づいて、同一であっても異なってもよい。図１に示す図では、マルチモードＬＭＵ１１３はマルチモード（おそらくはマルチバンド）基地局１１９、１２０、１２１と一緒に配置されている。説明に役立つ一例として、１つの代表的な単一モードＬＭＵ１１８が、単一モード、単一帯域基地局１２２と一緒に配置されているように示されている。基地局１２２は、この図では、第２無線エア・インターフェースと関連付けられている。
【００４０】
[0040]  一旦ＬＭＵ１１３、１１８の第２クラスタにタスクが課され、無線アップリンク信号１０７、１０９、１１０、１１２が収集され、そして位置検出が行われると、ＳＭＬＣ１１５は数学的に双方の推定値を組み合わせるか、または品質基準(quality metrics)に基づいて最良の位置推定値を選択することができる。品質基準は、例えば、各位置推定値の信頼半径、または位置推定値の個々の加重最小二乗計算の残存見逃し誤差(remaining residual error)を含むことができる。一旦最終的な位置計算が行われると、ＳＭＬＣ１１５は、自律位置（予め設定されているトリガに応答して生成される）をワイヤレス通信ネットワーク・ノード（ＭＰＣまたはＧＭＬＣのようなノード、図示せず）にプッシュすること、または外部位置検出サービス・ノード（図示せず）からの前の位置検出要求に応答することのいずれかを行うことができる。
【００４１】
[0041]  本願と同じ譲受人に譲渡された米国特許第６，５０３，４２８号”Multiple Pass Location Processing”において既に記載されているように、要求されたサービス品質に基づいて第１および第２位置を配信することによって、位置を推定することに伴うレイテンシを提言するために、マルチパス手法を用いることができる。この例では、第１および第２位置は、異なる無線技術、異なるネットワーク・トポロジ、および異なる受信ＬＭＵを用いて、異なる周波数帯域から収集された信号に基づく。
【００４２】
[0042]  図２を参照すると、ワイヤレス通信ネットワーク２１０は、Inter-RATハンドオーバーが通常のワイヤレス・ネットワークの内部移動管理または無線リソース管理動作の最中に行われる前に、ＳＭＬＣ１１５にも通知することができる。Inter-RATトリガ（ワイヤレス・インテリジェント・ネットワーク型トリガ、またはＭＳＣ２５０内に通常位置するカスタム化アプリケーション・プログラムのいずれかによって実行される）を、位置検出が進行中の移動体デバイスのために、ＭＳＣ内に設定してもよいが、Inter-RATハンドオーバーを実行する全ての移動体に対して設定することもできる。
【００４３】
[0043]  あるいは、ＳＭＬＣ１１５には、ＬＭＳ２１１またはＲＮＭ２８２によって、対象となる移動体デバイス（ 既存の受動位置検出トリガ(passive location trigger)がＬＭＳ／ＲＮＭに設定されている移動体デバイス２０１、あるいは位置信号収集が進行中または保留中の移動体）に対して保留中または進行中のInter-RATハンドオーバーを知らせることもできる。
【００４４】
[0044]  一旦ＳＭＬＣ１１５に保留中のInter-RATハンドオーバーを通知したなら、ＳＭＬＣ１１５は位置検出およびリソースのスケジューリングをし直して、エア・インターフェースのいずれかまたは双方について位置判定を開始することができる。
【００４５】
[0045]  図２は、無線ネットワーク・モニタ（ＲＮＭ）２８２、ＬＭＳ２１１、およびＩｏｔａ２９１インターフェースを含む、例示的なＧＳＭ  ＥＤＧＥ無線アクセス・ネットワーク（ＧＥＲＡＮ）／ＵＭＴＳ地上無線アクセス・ネットワーク（ＵＴＲＡＮ）ネットワーク基準モデル２１０のアーキテクチャを示す。また、この図は、ＭＳ２８０およびＵＥ機能２８８双方を内蔵する二重モード移動体デバイス２０１も示す。この移動体デバイス２０１は、ＧＳＭ  Ｕｍ２１５および／またはＵＭＴＳ  Ｕｕ２１７無線エア・インターフェース双方またはいずれかのアクセスおよび使用を可能にする。
【００４６】
[0046]  Ｉｏｔａ２９１インターフェースは、図２に示す、標準化されたインターフェースに基づく一実施形態である。Ｉｏｔａ２９１を用いると、ワイヤレス通信ネットワークは、トリガ（例えば、発呼された番号、加入者ＩＤ、または移動体ＩＤ）が満たされたときに、ワイヤレス位置検出ネットワーク（この場合、ＳＭＬＣ２１２）に知らせることができる。Ｉｏｔａ２９１インターフェースを用いると、ワイヤレス位置検出ネットワークは、ワイヤレス通信ネットワークに無線情報について知らせることができ、更にInter-RATハンドオフが要求されたことを示すことができる。Ｉｏｔａ２９１は、１組の能力を備えており、直接有線インターフェースを備えなくてもよい。この二重モード・ネットワークの例では、Ｉｏｔａ２９１インターフェースは、ＳＭＬＣをＭＳＣに結合するように示されているが、種々の実施形態では、このインターフェースは、ＭＳＣをＭＰＣ、ＧＭＬＣ、ｇｓｍＳＣＦ、またはワイヤレス・インテリジェント・ネットワークにおける任意のインテリジェント・ペリフェラルに接続することもできる。一実施形態では、Ｉｏｔａインターフェースは、非標準（即ち、標準化されたものの改良）ディジタル・パケット・インターフェースであってもよく、既存のワイヤレス・インテリジェント・ネットワーク・プロトコル（例えば、ＩＳ-４１、ＷＩＮ、ＣＡＭＥＬ）の拡張版を用いてＭＳＣ２５０およびＳＭＬＣ２１２を相互接続するのであってもよい。Ｉｏｔａ２９１インターフェースの使用により、ＭＳＣ２５０が位置情報についてＳＭＣＬ２１２に素早く照会することが可能となり、ＳＭＬＣ２１２がinter-RATハンドオーバーを要求することが可能になると考えられる。変更型ワイヤレス・インテリジェント・ネットワーク・プロトコルの使用により、Inter-RATハンドオフが要求された場合にＳＭＬＣ２１２が複数のＭＳＣ２５０と通信することが可能になると考えられる。Ｉｏｔａ２９１インターフェースの能力の一部は、合同規格３６（Ｊ-ＳＴＤ-０３６）に定められているＥＴＳＩ／ＡＮＳＩ  ＩＳ-４２  Ｅ２インターフェース（「強化ワイヤレス９-１-１フェーズ２」）に含めることもできる。
【００４７】
[0047]  無線ネットワーク・モニタ（ＲＮＭ）２８２は、広帯域マルチチャネル無線受信機であり、事実上、アドホック同調可能な狭帯域受信機の１群を備えている。これらの受信機は、周波数帯域のどこででもアップリンク・チャネルおよびダウンリンク・チャネル双方に同調可能にすることができる。ＲＮＭ２８２は、TruePosition（登録商標）AnyPhone（商標）位置検出移動体ユニット（ＬＭＵ）無線受信機プラットフォーム（現在のＬＭＵについては、ＳＣＳの受信機モジュールの狭帯域実施形態として、米国特許第６，７８２，２６４号に既に記載されている）上において実装された。ＲＮＭは、その無線受信機を用いてシグナリングを収集し、ワイヤレス位置検出システムをトリガすることができる。
【００４８】
[0048]  ＬＭＳは、米国特許第６，７８２，２６４号に記載されているエービス・モニタに対する改良であり、エービスおよびＡインターフェースだけでなく、ＧＳＭ−ＭＡＰ、Ｉｕｂ、Ｉｕ−ＰＳ、およびＩｕ−ＣＳインターフェースも監視することができ、場合によってはＩｕｒインターフェースも監視するように構成することができる。ＬＭＳは、変更によって、エービス・モニタと同じハードウェア／ソフトウェア・シャーシ上に実装することができる（Intel社のTSEMT2またはTSRLT2ＵＮＩＸ（登録商標）サーバのクラスタにおいて実行する未修正Agilent Access7ソフトウェア・アプリケーションを含む、１組のカスタム・アプリケーション）。
【００４９】
[0049]  ワイヤレス位置検出システムのＬＭＳ２１１およびＲＮＭ２８２トリガリングは、更に、本願と同じ譲受人に譲渡された米国特許出願第１１／１５０，４１４号”Advanced triggers for location-based service applications in a wireless location system”（ワイヤレス位置検出システムにおける位置検出に基づくサービスの応用のための高度トリガ）において詳細に記載されている。ハンドオーバーのようなイベントの検出は、米国特許第６，１１９，０００号”Method and apparatus for tracking identity-code changes in a communications system”（通信システムにおいて識別コード変化を追跡する方法および装置）において詳細に記載されている。
【００５０】
[0050]  更に、ネットワーク２１０は担当移動体位置検出局（ＳＭＬＣ）２１２を含む。ＲＮＭ２８２は、電気通信事業者のセル・サイトにおいて展開することができる主要コンポーネントである。ＲＮＭ２８２は、位置検出サービスの自律発生のために、ＲＡＣＨおよびＳＤＣＣＨメッセージを受信することができる無線受信機の分散ネットワークとして実現するとよい。ＲＮＭ８２は、システムのためのデータを収集するために、指令された周波数に同調する。次いで、ＲＮＭ２８２は、収集したデータをＳＭＬＣ２１２に転送することができる。ネットワークにおける全てのＲＮＭ２８２は、汎地球測地衛星（ＧＰＳ）コンスタレーション（図示せず）の使用によって、時間同期または周波数同期されているとよい。
【００５１】
[0051]  ＳＭＬＣ２１２は、高ボリューム位置検出処理プラットフォームとすることができる。ＳＭＬＣ２１２は、位置、信頼間隔、速度、および移動方向を計算するために、Ｕ−ＴＤＯＡおよびマルチパス軽減アルゴリズムを内蔵する。また、ＳＭＬＣ２１２は、リンク監視システム（ＬＭＳ）２１１からのトリガリングまたはＬｂインターフェース２５４からインフラストラクチャ販売業者の基地局コントローラ（ＢＳＣ）２９６への要求（または、場合によっては、ＬｓインターフェースとしてのＭＳＣ２５０）に基づいて、どのワイヤレス電話機の位置を検出するか決定する。ＳＭＬＣ２１２は、通例、運営業者のＢＳＣ２９６と一緒に配置されるが、離して分散させることもできる。ＳＭＬＣ２１２の主要な機能は、ＲＮＭ２８２からの信号検出についての報告を受信すること、位置検出処理を実行すること、そして信号毎に位置検出推定値を計算することである。ＳＭＬＣ２１２は、ネットワークを管理し、電気通信事業者に位置検出記録へのアクセスを与える。ＳＭＬＣ２１２は、位置検出記録の収集および配信を責務とする。また、ＳＭＬＣ２１２はコンフィギュレーション情報を維持し、ネットワーク管理をサポートする。
【００５２】
[0052]  ＬＭＳ２１１は、当該ＬＭＳ２１１が接続されているネットワーク２１０において、全てのエービス・シグナリング・リンク２７６（および場合によっては、Ａ−インターフェース・リンク２５２およびＧＳＭ移動体アプリケーション・プロトコル（ＧＳＭ−ＭＡＰ）２４８インターフェース）を継続的に監視する。ＬＭＳ２１１の機能は、コール（例えば、ＧＳＭ音声会話、およびＳＭＳトランザクションまたはＧＰＲＳデータ・セッション）およびＳＭＳ設定手順におけるメッセージ、コール最中制御メッセージ、ならびにＭＳ２８０および／またはＵＥ２８８に対するコール着信および解放メッセージを取り込むことである。次いで、ＬＭＳ２１１は、これらのメッセージに含まれているデータを、後続の位置検出処理のために、ＳＭＬＣ２１２に転送する。
【００５３】
[0053]  ＧＳＭサービス制御機能（ｇｓｍＳＣＦ）２２０は、サービス制御ポイント（ＳＣＰ）とも呼ばれており、データベースと、非コール指向サービス(non-call oriented service)を加入者に提供するための論理規則(logical rules)を収蔵する。ｇｓｍＳＣＦ２２０は、ＭＳＣ（１つまたは複数）およびＧＳＮ（１つまたは複数）にＳＳ７ネットワーク２４９を通じて、ＣＡＭＥＬアプリケーション・パート（ＣＡＰ）２６３を経由して接続する。ＧＳＭ移動体アプリケーション・プロトコル（ＧＳＭ−ＭＡＰ）２４８は、ワイヤレス・ネットワークの有線部分におけるコール関係制御サービスのための通信媒体である。ＧＳＭ−ＭＡＰ２４８は、自動ローミング、認証、位置検出サービス・システム間ハンドオフ、およびＧＳＭまたはＵＭＴＳネットワークにおけるショート・メッセージ・サービスのルーティングというようなサービスを提供するために存在する。ＭＳＣ２５０、ＨＬＲ２３４、ＶＬＲ（ここでは、ＭＳＣ２５０の一部として示されている）、ＧＭＳＣ２４４、ＥＩＲ２３２、ＧＭＬＣ２９８、およびｇｓｍＳＣＦ２２０というようなワイヤレス・ネットワーク・エレメントは、このメッセージング・プロトコルを用いて、互いの間で通信を行う。ＧＳＭ−ＭＡＰ２４８は、国際シグナリング・システム７（ＳＳ７）ネットワーク（ＭＡＰ−ＣＡＰネットワーク２４９）に存在する。
【００５４】
[0054]  ゲートウェイ移動体位置検出局（ＧＭＬＣ）２９８は、３ＧＰＰ規格によって、ＧＳＭ／ＧＰＲＳ／ＵＭＴＳネットワークにおける位置検出記録のクリアリングハウスとして定められている。ＧＭＬＣ２９８は、厳格に制御されるＳＳ７ネットワーク２４９と公衆インターネットとの間におけるバッファとしての役割を果たす。位置検出に基づくサービスに対する認証、アクセス制御、アカウンティング、および認可機能は、慣例では、ＧＭＬＣ２９８に存在するか、またはＧＭＬＣ２９８によって制御される。
【００５５】
[0055]  Ｌｅインターフェース２２４は、ＩＰ系ＸＭＬインターフェースであり、最初にLocation Interoperability Forum（ＬＩＦ：位置検出相互動作可能性フォーラム）において開発され、次いで第３世代パートナーシップ・プログラム（３ＧＰＰ）によって、ＧＳＭ ＥＤＧＥ無線アクセス・ネットワーク（ＧＥＲＡＮ）およびＵＭＴＳ 地上無線アクセス・ネットワーク（ＵＴＲＡＮ）に対して標準化された。位置検出ベース・サービス（ＬＢＳ）クライアント２２２は、ＬＣＳ（位置検出サービス）としても知られている。ＬＢＳおよびＬＣＳ２２２は、ソフトウェア・アプリケーションであり、移動体デバイスの位置検出を用いるように構成されているサービスである。
【００５６】
[0056]  Ｅ５＋インターフェース２１８は、北アメリカのＥ９−１−１に対する合同ＡＮＳＩ／ＥＴＳＩ規格０３６において定められているＥ５インターフェースの変更版である。Ｅ５＋インターフェース２１８は、ＳＭＬＣ１２およびＧＭＬＣ９８ノードを直接接続し、ＬＭＳ２１１またはＲＮＭ２８２のトリガがワイヤレス位置検出システムによって用いられるときに、ネットワーク獲得情報（例えば、セル−ＩＤ、ＮＭＲ、ＴＡ等）を用いて、あるいは特殊化した受信機が実行するＴＤＯＡおよび／またはＡｏＡ（到達角度）によってプッシュ動作を可能にする。
【００５７】
[0057]  ユーザ機器（ＵＥ）２８８は、例えば、ＵＭＴＳ移動体デバイスのような機器として定めることができる。ノードＢ２８６は、ＵＭＴＳ無線インターフェースに対するＵＴＲＡＮネットワーク・インターフェースである。ＲＮＣ２７０は、ＵＴＲＡＮによる自発的無線リソース管理（ＲＲＭ）を実行することができる。ＲＮＣ２７０は、ＧＳＭ  ＢＳＣと同じ機能を実行し、ＲＮＳエレメント（ＲＮＣおよびノードＢ）の集中制御を行うことができる。ＲＮＣ２７０は、Ｉｕ−ＰＳ２７４、Ｉｕ−ＣＳ２６２、Ｉｕｒ２６１、およびＩｕｂ２９０インターフェース間においてプロトコル交換を処理し、無線ネットワーク・システム全体の集中動作および保守を責務とする。ＲＮＣ２７０は、標準化されたＩｕｒインターフェースを通じて、他のＲＮＣと直接通信することができる。
【００５８】
[0058]  サービングＧＰＲＳサポート・ノード（ＳＧＳＮ）２６８は、個々のＧＰＲＳ対応(capable)移動局２８０の現在地を監視し、基本的なセキュリティ機能およびアクセス制御機能を実行する。ＳＧＳＮ２６８は、Global System for Mobility（ＧＳＭ：移動用汎地球システム）のＧＥＲＡＮおよびＵＭＴＳ無線ネットワーク双方に応対することができる。
【００５９】
[0059]  ゲートウェイＧＰＲＳサポート・ノード（ＧＧＳＮ）２４６は、ＧＰＲＳネットワークに対してシステム・ルーティング・ゲートウェイとして作用する。ＧＧＳＮ２４６は、外部パケット・データ・ネットワーク（例えば、公衆インターネット）への接続部であり、課金、ルーティング、セキュリティ・ファイアウオール構築(firewalling)、およびアクセス・フィルタリングのタスクを実行する。ゲートウェイＭＳＣ（ＧＭＳＣ）２４４は、ローミングする加入者を、別の運営業者のネットワークにおける訪問先ＭＳＣに導くブリッジとして作用する。制御シグナリングおよびトラフィック・トランク双方は、ＧＭＳＣ２４４を通じて設定する。
【００６０】
[0060]  Ｕｍ２１５は、ＧＳＭ無線インターフェースである。Ｕｕ２１７は、ＵＭＴＳ無線インターフェースである。Ｉｕｂインターフェース２９０は、ＵＭＴＳネットワーク上に配置され、ＲＮＣ（無線ネットワーク・コントローラ）７７０とノードＢ２８６との間にあることができる。Ｉｕｐｃ２７２は、位置推定を行うために、ＵＭＴＳネットワーク内においてＵＭＴＳ  ＲＮＣ２７０をＳＭＬＣ（ＳＡＳとも呼ぶ）と相互接続することができる。Ｉｕ−ＣＳ（回線交換）インターフェース２６２は、ＵＭＴＳ  ＲＮＣ７７０を回線交換通信指向ネットワーク（ＭＳＣ２５０）と接続することができる。Ｉｕ−ＰＳ（パケット交換）インターフェース２７４は、ＵＭＴＳ  ＲＮＣ２７０をパケット交換通信指向ネットワーク（ＳＧＳＮ）２６８と接続することができる。Ｇｂインターフェース２６６は、ＢＳＣ２９６をＳＧＳＮ２６８と相互接続することができ、ＧＰＲＳ通信のルーティングを可能にする。
【００６１】
[0061]  Ｇｎインターフェース２６０は、ＧＰＲＳネットワーク・パケット・データ・インターフェースであり、ＳＧＳＮ２６８とＧＧＳＮ２４６との間に配置することができる。Ｇｓインターフェース２６４は、ＧＰＲＳシステム・インターフェースであり、ＳＧＳＮ２６８とＭＳＣ２５０との間に配置することができる。Ｇｒ（図示せず）インターフェースは、ＧＳＭ−ＭＡＰインターフェースであり、ＳＧＳＮ２６８とＳＳ７ネットワーク２４９上に載置されたホーム・ロケーション・レジスタ（ＨＬＲ）２３４との間に配置することができる。
【００６２】
[0062]  米国特許第６，７８２，２６４号に記載されているように、基地局コントローラ（ＢＳＣ）リンク（例えば、Ａｂｉｓリンク）に至る基地送受信局（ＢＴＳ）を監視して、誘起メッセージおよび情報フィールドを検出することが可能である。’２６４特許において、ＡＭＳ（Ａｂｉｓ監視システム）と呼ばれている受動ネットワーク・モニタが、ＧＳＭＡｂｉｓインターフェースを監視することが例示されている。この受動ネットワーク・モニタを本開示にしたがって拡張し、ここではリンク監視システムまたはＬＭＳと呼ぶことにする。リンク監視システム（ＬＭＳ）２１１は、複数のセルラ・ネットワーク・データ・リンクを同時に監視し、対象データを走査し、メッセージ内部にある特定のメッセージまたはデータ・フィールドを検出することができる。対象のメッセージまたはデータ・フィールドの設定または作業賦課(tasking)は、任意の時点で行うことができる。一致が生じた場合、ＬＭＳ２１１を更にトリガして、記憶メモリへの書き込み、またはトリガリング・メッセージおよび（または）データ・フィールドの別のシステム・ノードへの転送というような、予め設定されている動作(action)を実行することができる。
【００６３】
[0063]  無線ネットワーク・モニタ２８２は、位置検出誘起情報およびメセージングの受動的監視を、無線エア・インターフェースに拡張する。ＲＮＭ２８２は、アップリンク（移動体デバイスからＢＴＳまたはノードＢ）およびダウンリンク無線通信双方を検出し監視することができる。
【００６４】
[0064]  移動体デバイス２０１は、多重技術ワイヤレス通信ネットワーク、または異種の無線アクセス技術を用いる異種のワイヤレス通信ネットワークにアクセスするために、二重モード機能を含むことができる。図２に示すように、移動体デバイス２０１は、ＧＳＭ移動局（ＭＳ）２８０およびＵＭＴＳユーザ・エンティティ（ＵＥ）２８８機能の双方を含むことができる。移動体デバイス２０１は、通常、共通の回路および計算機能(facilities)を用いて、双方の機能を実装する。
【００６５】
[0065]  図３は、制御チャネルにおけるInter-RATリダイレクトの図示例を示す。制御チャネルにおける位置は、低レイテンシの位置検出に基づくサービス、または制御チャネルのみのイベントには有用であることもある。Inter-RATリダイレクトは、機敏な移動体デバイス３０１に、異なる無線アクセス技術を選択し直させる方法を提供する。「機敏な」(agile)という用語は、ここでは、マルチモード、マルチバンド移動体音声／データ・デバイスを指すとすればよい。
【００６６】
[0066]  図３における図は、制御チャネルInter-RAT位置検出動作における代表的なイベントを示す。示されている各イベントは、ワイヤレス通信ネットワークおよびワイヤレス位置検出システム内における複数のノードへの複数の双方向メッセージから成ることができる。図示したイベントの中には任意のものもあり、一方、技術または運営業者の実施形態によっては、イベントのシーケンスが異なる順序で現れることもある。
【００６７】
[0067]  簡略化のために、第１無線アクセス技術を第１無線システム３０２と関連付けることができ、第２無線アクセス技術を第２無線システム３０３と関連付けることができるとする。この例では、ワイヤレス・スイッチングおよび制御部３０４が、移動体交換局、パケット交換ネットワーク、インテリジェント・ネットワーク、無線リソース制御部、および移動管理部と関連付けられており、１つの機能エンティティとして示されている。ワイヤレス位置検出システム３０５は、マルチモード・システムであり、種々の移動体ベース、ネットワーク・ベース、衛星ベース、および／または混成測位技術を含むことができる。
【００６８】
[0068]  この例では、移動体３０１は、第１無線アクセス３０６を用い、第１無線システム３０２によって提供される無線リソースを用いて、コールを開始することができる。この第１ネットワーク・アクセスには、移動体が起源のイベントと関連付けることができ、またはページのようなネットワーク・ブロードキャスト・イベントに応答することもできる。正確なネットワーク・アクセス・メッセージングは、無線アクセス技術および運営業者に応じて、異なってもよい。
【００６９】
[0069]  第１無線アクセス３０６の情報は、ここではネットワーク・アクセス開始３０７として示されるメッセージ集合において、ワイヤレス交換および制御３０４エンティティに受け渡すことができる。ワイヤレス・スイッチングおおよび制御３０４エンティティは、後続の処理に備えて、リソースを割り当て、データ・ストアを更新することができる。ワイヤレス・スイッチングおよび制御部３０４は、内部トリガに応答して、ワイヤレス位置検出システムに移動体デバイス３０１の位置について照会することができる。トリガの例には、発呼された番号の分析、またはインテリジェント・ネットワーク・トリガが含まれる。
【００７０】
[0070]  ワイヤレス位置検出システム３０５は、位置検出イベント３０９を実行することができる。位置検出イベントは、第１組の測定を含むことができる。他の実施形態では、位置検出イベントは、第１組の測定に基づく第１位置推定を含むことができる。予め設定されている規則、位置検出イベントの種類、またはサービス情報分析の動的品質の内１つ以上に基づいて、ワイヤレス位置検出システム３０５は第２制御チャネルを要求することを決定することができる。Ｉｏｔａインターフェース２９１を用いて、ワイヤレス位置検出システム３０５は、ワイヤレス・スイッチングおよび制御３０４エンティティに、Inter-RATリダイレクトが要求された（３１０）ことを知らせることができる。
【００７１】
[0071]  ワイヤレス・スイッチングおよび制御部３０４は、第１無線システム３０２に、Inter-RATリダイレクトを開始する（３１２）ことを知らせることができる。第１無線システム３０２は、移動体デバイス３０１に、Inter-RATリダイレクトを実行するように命令する（３１３）ことができる。Inter-RATリダイレクト（３１３）に応答して、移動体デバイス３０１は第２無線システム３０３においてアクセスを開始する（３１４）ことができる。
【００７２】
[0072]  第２無線アクセス３１４において得られた情報は、ネットワーク・アクセス開始３１５として示されるメッセージ集合において、ワイヤレス・スイッチングおよび制御３０４エンティティに受け渡すことができる。第１無線システム３０２は、任意に、Inter-RATリダイレクトが完了した（３１６）ことの信号を供給することができる。
【００７３】
[0073]  次いで、ワイヤレス・スイッチングおよび制御３０４エンティティは、第２アクセスと関連のあるサービスに備えて、リソースを割り当て、データ・ストアを更新することができる。ワイヤレス・スイッチングおよび制御３０４エンティティは、ワイヤレス位置検出システム３０５に、Inter-RATリダイレクトが完了した（３１７）ことを知らせることができ、その後、ワイヤレス位置検出システムは第２の位置検出３１８を実行することができる。位置検出イベントは、第２組の測定を含むことができる。他の実施形態では、位置検出イベントは、第２組の測定に基づく第２の位置推定を含むことができる。
【００７４】
[0074]  図４は、進行中のコール（または進行中のデータ・セッション）において行われるInter-RAT位置判定と関連のあるイベントのシーケンス例を示し、ここではトラフィック・チャネルが使用のために割り当てられている。このシナリオを「コール最中」(mid-call)位置判定と呼ぶこともできる。
【００７５】
[0075]  図４における図は、コール最中Inter-RAT位置検出動作における代表的イベントを示す。各イベントは、ワイヤレス通信ネットワークおよびワイヤレス位置検出システム内にある複数のノードに対する複数の双方向メッセージを含むことができる。図示したイベントの中には任意のものもあり、実施形態によっては、イベントのシーケンスが異なる順序で現れることもある。
【００７６】
[0076]  種々の実施形態において、Inter-RATハンドオフは、機敏な移動体デバイス３０１に、現在のコールまたはデータ・セッションを中断することなく、第２無線アクセス技術を選択させる方法を提供する。
【００７７】
[0077]  簡略化のために、第１無線アクセス技術を第１無線システム３０２と関連付けることができ、第２無線アクセス技術を第２無線システム３０３と関連付けることができるとする。この例では、ワイヤレス・スイッチングおよび制御部３０４が、移動体交換局、パケット交換ネットワーク、インテリジェント・ネットワーク、無線リソース制御部、および移動管理部と関連付けられており、１つの機能エンティティとして示されている。ワイヤレス位置検出システム３０５は、マルチモード・システムであり、種々の移動体ベース、ネットワーク・ベース、衛星ベース、および／または混成測位技術を含むことができる。
【００７８】
[0078]  この例では、移動体デバイス３０１がコール／データ・セッション４０１中であり、チャネル・リソースがこのセッションのために割り当てられていると考えられる。外部アプリケーションまたは内部トリガ・イベント（例えば、インテリジェント・ネットワーキング・トリガ）に応答して、ワイヤレス・スイッチングおよび制御３０４エンティティは、移動体デバイス３０１に対する位置検出イベント４０２を要求することができる。
【００７９】
[0079]  ワイヤレス位置検出システム３０５は、第１位置検出イベント４０３を実行することができる。この位置検出イベントは、第１組の測定を含むことができる。他の実施形態では、位置検出イベントは、この第１組の測定に基づく第１の位置推定を含むこともできる。予め設定されている規則、位置検出イベントの種類、またはサービス情報分析の動的品質の内１つ以上に基づいて、ワイヤレス位置検出システム３０５は、第２の利用可能な無線アクセス技術を用いて、第２のコール最中位置検出を要求すべきことを決定することができる。Ｉｏｔａインターフェース２９１を用いて、ワイヤレス位置検出システム３０５は、ワイヤレス・スイッチングおよび制御３０４エンティティに、Inter-RATリダイレクトが要求された（４０４）ことを知らせることができる。
【００８０】
[0080]  ワイヤレス・スイッチングおよび制御部３０４は、ハンドオフ４０５の到来(incoming)が予期され、中断なくコールを継続するための情報を提供することができることを、第２無線システム３０２に示すことができる。
【００８１】
[0081]  ワイヤレス・スイッチングおよび制御部３０４は、第１無線システム３０２に、Inter-RATハンドオフを開始する（４０６）ように命令することができる。第１無線システム３０２は、移動体デバイス３０１に、Inter-RATリダイレクトを実行する（４０７）ように命令することができる。Inter-RATリダイレクト４０７に応答して、移動体デバイス３０１は第２無線システム３０３においてアクセス４０８を開始することができる。
【００８２】
[0082]  一旦第２の無線システム・アクセス４０８が完了したなら、第２無線システム３０３は、ワイヤレス・スイッチングおよび制御３０４エンティティにハンドオフの成功を知らせることができ、通信セッションは、中断なく、再開することができる（４１０）。
【００８３】
[0083]  一旦ハンドオフが完了したなら、ワイヤレス・スイッチングおよび制御３０４エンティティは、第１無線システム３０２におけるリソース４１１を解放することができる。
【００８４】
[0084]  ワイヤレス・スイッチングおよび制御３０４エンティティは、ワイヤレス位置検出システム３０５にハンドオフの成功を知らせることができ（４１２）、次いで第２位置検出イベント４１３に進むことができる。位置検出イベント４１３は、第２組の測定を含むことができる。他の実施形態では、位置検出イベント４１３は、この第２組の測定に基づく第２位置推定を含むことができる。
【００８５】
[0085]  図５ａおよび図５ｂは、緊急サービス音声コールにおいて行われるinter-RAT位置検出と関連のあるイベントのシーケンス例を示す。
【００８６】
[0086]  図５ａにおいて、ＭＳＣは緊急サービス・コールの指示のために、全ての移動体発のコールの分析を行うことができる（一般に、発呼番号分析、または緊急サービス・フラグの存在）。
【００８７】
[0087]  ＭＳＣが発呼番号トリガ(dialed-digit trigger)を用いてＷＬＳに知らせることができる速度のために（または、ワイヤレス通信ネットワークにＬＭＳまたは同様のトリガリング・プラットフォームが装備されている場合）、制御チャネルのみを用いて、第１位置推定を実行することができる（本願と同じ譲受人に譲渡された米国特許第５，３２７，１４４号”Cellular Telephone Location System”に記載されている通り）。次いで、Inter-RAT機能を呼び出し、無線特性が異なる第２制御チャネルを用いた、第２位置推定に備えることができる。第２位置推定は、位置検出対象移動体デバイスに対する会話状態またはデータ・セッションが開始される前に、実行するとよい。
【００８８】
[0088]  図５ａに示すように、移動体デバイスは、救急サービス・コール５０１を発することができる。ワイヤレス通信システム（ＷＣＮ）は、緊急コールを特定し（５０２）、特殊コール処置を始動することができる。この例では、移動体デバイスおよびワイヤレス通信ネットワークの双方がマルチモードであり、１つよりも多い無線アクセス技術をサポートすることができる。この特殊コール処置の一部として、ワイヤレス通信ネットワークは、移動体デバイスの位置検出のために、位置検出要求５０３をワイヤレス位置検出システムに送ることができる。ＷＬＳは、チャネル情報を入手し、移動体デバイスがinter-RAT動作が可能であるか否か、位置検出イベントを開始する前に、判断しなければならない。したがって、チャネル情報、および移動体デバイスのinter-RAT能力が、元の位置検出要求５０３（またはインストールされた監視システムによって行われた）に含まれていない場合、inter-RAT能力に対する照会がＷＬＳによって送り出される（５０４）。ＷＣＮは、わかっていれば、移動体デバイスのinter-RAT能力を提供することができ（５０５）、そうでなければ、デバイスのinter-RAT能力についてデバイスに照会することができる（５０６）。inter-RAT能力には関係なく、第１の位置検出イベントを実行することができる（５０７）。この位置検出イベントは、第１組の測定を含むことができる。他の実施形態では、位置検出イベントは、この第１組の測定に基づく、第１の位置推定を含むことができる。第１の位置検出イベントが要求品質（例えば、名目精度）を満たさない場合、Inter-RAT位置検出を開始することができる（５０８）。inter-RAT要求は、ＷＣＮにinter-RATハンドオーバーを開始させる（５０９）ことができ、移動体デバイスは第２エア・インターフェース技術に移ることができる（５１０）。一旦Inter-RATハンドオーバーが完了したなら（５１１）、ＷＣＮはＷＬＳに通知することができ、第２の制御チャネル位置検出イベントを実行することができる（５１２）。この位置検出イベントは、第２組の測定を含むことができる。他の実施形態では、位置検出イベントは、この第２組の測定に基づく第２の位置推定を含むことができる。
【００８９】
[0089]  尚、マルチモード環境では、inter-RAT能力は、他の周波数、無線ネットワーク・トポロジ、およびチャネル帯域幅を制御チャネルのみのイベントにおいて用いて第２の位置を判定すること、または更に低いレイテンシが要求されるときに第２の位置を判定することを可能にするのに役立てることがわかる。一実施形態では、コールが接続された後に、緊急サービス・コールが現在地を要求したとき、サービスの要求位置検出精度品質を満たすことができない場合、現在の無線アクセス技術を用いて第２無線アクセス技術での位置判定を開始するために、inter-RATハンドオフ技法を用いることができる。
【００９０】
[0090]  図５ｂは、制御チャネル位置検出の試みが失敗した場合、位置検出の要求サービス品質を満たさない場合、または更新された位置（当業者には「リビッド」(re-bid)としても知られている）が必要となる場合に用いることができるトラフィック・チャネルinter-RAT手順の一例を示す。
【００９１】
[0091]  図５ｂを参照すると、トラフィック・チャネルinter-RAT手順が開始するとき、移動体は既にチャネルにおいて会話状態にある（５１３）。ソースには関係なく、ＷＬＳは位置検出要求５５１を受信することができる。ＷＬＳは、ワイヤレス通信ネットワーク５５２に、サービング・セルおよび無線チャネル情報というような情報を含む、移動体デバイスの状態(status)を照会することができる。この情報は、ＷＬＳに利用可能な位置検出技術に応じて、周波数、タイムスロット、拡散符号、近隣リスト、タイミング情報、そして信号強度および／または品質を含むことができる。ＷＣＮは、内部データベースにおいて利用可能な、チャネル情報、および移動体デバイス５５３のinter-RAT能力を有することができる。
【００９２】
[0092]  ＷＣＮは、任意に、移動体デバイス５５４に質問して、要求された情報を収集すること、またはその内部データベースを更新することもできる。一旦ＷＬＳが要求された情報をＷＣＮから、そして必要に応じて、ＷＣＮに配備されているセンサおよび／またはモニタから受信すると、第１の位置検出イベントが実行される（５５５）。この位置検出イベントは、第１組の測定を含むことができる。他の実施形態では、位置検出イベントは、この第１組の測定に基づく第１位置推定を含むことができる。
【００９３】
[0093]  ＷＬＳは、移動体デバイスの位置検出に対する要求品質を満たす可能性が非常に低いと判断した場合、第１の位置検出の開始前に、inter-RATハンドオーバーを要求することができる。このような判断は、例えば、第１および第２エア・インターフェースを用いて位置推定値を判定した過去の履歴を用いることによって行うことができ、またはネットワーク・トポロジや第１および第２ワイヤレス・ネットワークの位置検出能力についての情報を用いることによって行うことができる。第１エア・インターフェースにおいて第１の位置推定が行われ、推定値が所望のサービス品質（ＱｏＳ）を満たさない場合、ＷＬＳは、第２の位置推定を開始すべきことを決定し、inter-RATハンドオーバーを実行するように要求することができる。この決定は、ＷＬＳの第１位置検出の品質についての知識、位置検出誤差の要因、第１および第２エア・インターフェースにおける過去の位置検出成功履歴、ならびにネットワーク・トポロジや第１および第２ワイヤレス・ネットワークの位置検出能力についての情報に基づくことができる。ＷＬＳが要求すると、ＷＣＮはinter-RATハンドオーバーを開始する（５５７）ことができ、移動体デバイスは第２エア・インターフェースに移ることができる（５５８）。ＷＣＮは、inter-RATが完了した（５５９）ことを確認することができ、次いで、ＷＬＳに知らせて、第２位置検出イベントを実行する（５６０）ことができる。この位置検出イベントは、第２組の測定を含むことができる。他の実施形態では、位置検出イベントは、この第２組の測定に基づく第２の位置推定を含むことができる。
【００９４】
[0094]  前述のように、inter-RATリダイレクトメカニズムを用いると、他の周波数を用いるトラフィック・チャネル、無線ネットワーク・トポロジ、およびチャネル帯域幅を用いて１つの位置を判定する第２位置検出イベントを実行する種々の方法を実現することができる。種々の実施形態では、開示した方法は、各々が異なる特性を有し後処理における位置判定の最適化に備えた、複数のトラフィック・チャネルにおけるマルチパス位置検出(multi-pass location)に対処することができる。
【００９５】
[0095]  図６は、オーバーレイＷＬＳの配備例を模式的に示す。これは、ＬＭＵ６０１、ＧＰＳ受信アンテナ６０２、ダウンリンク受信アンテナ６０３、ＬＭＵ６０１を安全に外部設置アンテナ６０２、６０３にインターフェースするための接地６０４および入力保護６０６、ＳＭＬＣ６０８およびＳＭＬＣデータベース６０９、ならびに無線周波数配線６０５を備えている。図示のように、ＬＭＵ６０１は、有線またはワイヤレス接続６０８を通じて、ＳＭＬＣ６０８に接続されており、この接続６０８はＴＣＰ／ＩＰパケット・ベース通信を伝えることができる。ＳＭＬＣ６０８は、ＳＭＬＣデータベース６０９をホストすることができる。ＳＭＬＣデータベース６０９は、更に、ネットワーク・セル識別子、ネットワーク・アンテナ識別子、ネットワーク・アンテナ位置、ＬＭＵ（セル）位置、およびＬＭＵ識別子を記憶することができる。
【００９６】
[0096]  また、ＳＭＬＣ６０８は位置検出記録（例えば、ＳＭＬＣデータベース６０９）のデータベースを格納すること、またはこのデータベースに結合することもできる。位置検出記録のデータベースは、信号収集および／または位置計算に先立って、移動体デバイスまたはネットワーク適用セル-ＩＤおよび近接情報（例えば、ＧＳＭにおけるＣＧＩ＋ＴＡ、ＵＭＴＳにおけるＣＩ＋ＲＴＴ）に基づいて、位置検出アプリケーションに対するサービス品質を予測するために用いることができる。また、位置検出記録のデータベースは、本明細書において記載するように、手作業の入力、ＯＳＳからのダウンロード、あるいはＧＰＳおよび／またはダウンリンク受信サブシステムから得られる無線およびネットワーク・パラメータを格納するために用いることもできる。
【００９７】
[0097]  以上に述べた態様はいずれも、方法、システム、コンピュータ読み取り可能媒体、または任意のタイプの生産物で実現することができる。
【００９８】
[0098]  前述のように、本発明の態様は、プログラム式コンピュータにおいて実行することができる。図７および以下の論述は、これらの態様を実現することができる適した計算環境の端的な説明を提示することを意図している。
【００９９】
[0099]  回路(circuitry)という用語は、本開示において用いられる場合、特殊ハードウェア・コンポーネントを含むことができる。同じ実施形態または他の実施形態において、回路は、ファームウェアまたはスイッチによって機能（１つまたは複数）を実行するように構成されたマイクロプロセッサを含むことができる。同じ実施形態例または他の実施形態例において、回路は、１つ以上の汎用処理ユニットおよび／またはマルチコア処理ユニット等を含むことができ、これらは、機能（１つまたは複数）を実行するように動作可能なロジックを具体化するソフトウェア命令がメモリ、例えば、ＲＡＭおよび／または仮想メモリにロードされたときに構成することができる。回路がハードウェアおよびソフトウェアの組み合わせを含む実施形態例では、インプリメンタ(implementer)は、ロジックを具体化するソース・コードを書くことができ、このソース・コードをコンパイルしてマシン読み取り可能コードとし、汎用処理ユニット（１つまたは複数）によって処理することができる。
【０１００】
[0100]  図７は、本開示の態様を実現するように構成することができる計算システムの一例を示す。この計算システムは、コンピュータ２０等を含むことができる。コンピュータ２０は、処理ユニット２１、システム・メモリ２２、およびシステム・メモリを含む種々のシステム・コンポーネントを処理ユニット２１に結合するシステム・バス２３を含む。システム・バス２３は、メモリ・バスまたはメモリ・コントローラ、周辺バス、および種々のバス・アーキテクチャの内任意のものを用いたローカル・バスを含む様々なタイプのバス構造の内任意のものとすることができる。システム・メモリは、リード・オンリ・メモリ（ＲＯＭ）２４およびランダム・アクセス・メモリ（ＲＡＭ）２５を含む。基本入／出力システム２６（ＢＩＯＳ）は、起動中のように、コンピュータ２０内のエレメント間におけるデータ伝送を補助する基本的なルーティンを含み、通例ＲＯＭ２４内に格納されている。更に、コンピュータ２０は、図示しないハード・ディスクからの読み取りおよびこれへの書き込みを行うハード・ディスク・ドライブ２７、リムーバブル磁気ディスク２９からの読み取りおよびこれへの書き込みを行う磁気ディスク・ドライブ２８、およびＣＤＲＯＭまたは他の光媒体のようなリムーバブル光ディスク３１からの読み取りおよびこれへの書き込みを行う光ディスク・ドライブ３０も含むことができる。実施形態例によっては、本発明の態様を具体化するコンピュータ実行可能命令をＲＯＭ２４、ハード・ディスク（図示せず）、ＲＡＭ２５、リムーバブル磁気ディスク２９、光ディスク３１、および／または処理ユニット２１のキャッシュに格納することができる。ハード・ディスク・ドライブ２７、磁気ディスク・ドライブ２８、および光ディスク・ドライブ３０は、それぞれ、ハード・ディスク・ドライブ・インターフェース３２、磁気ディスク・ドライブ・インターフェース３３、および光ドライブ・インターフェース３４によって、システム・バス２３に接続されている。これらのドライブおよびそれらと関連のあるコンピュータ読み取り可能媒体は、コンピュータ読み取り可能命令、データ構造、プログラム・モジュール、およびコンピュータ２０の他のデータの不揮発性記憶に備える。本明細書において記載する環境はハード・ディスク、リムーバブル磁気ディスク２９、およびリムーバブル光ディスク３１を採用するが、磁気カセット、フラッシュ・メモリ・カード、ディジタル・ビデオ・ディスク、ベルヌーイ・カートリッジ、ランダム・アクセス・メモリ（ＲＡＭ）、リード・オンリ・メモリ（ＲＯＭ）等のような、コンピュータによってアクセス可能なデータを格納することができる他のタイプのコンピュータ読み取り可能媒体も、この動作環境において用いてもよいことは、当業者には認められてしかるべきである。
【０１０１】
[0101]  ハード・ディスク、磁気ディスク２９、光ディスク３１、ＲＯＭ２４、またはＲＡＭ２５には、複数のプログラム・モジュールを格納することができ、その中には、オペレーティング・システム３５、１つ以上のアプリケーション・プログラム３６、その他のプログラム・モジュール３７、およびプログラム・データ３８を含む。ユーザは、キーボード４０のような入力デバイス、およびポインティング・デバイス４２によって、コマンドおよび情報をコンピュータ２０に入力することができる。他の入力デバイス（図示せず）には、マイクロフォン、ジョイスティック、ゲーム・パッド、衛星ディスク、スキャナー等を含むことができる。これらおよびその他の入力デバイスは、多くの場合、シリアル・ポート・インターフェース４６を介して、処理ユニット２１に接続されている。シリアル・ポート・インターフェース４６は、システム・バスに結合されているが、パラレル・ポート、ゲーム・ポート、またはユニバーサル・シリアル・バス（ＵＳＢ）のようなその他のインターフェースによって接続することも可能である。ディスプレイ４７またはその他の形式のディスプレイ・デバイスも、ビデオ・アダプタ４８のようなインターフェースを介して、システム・バス２３に接続されている。ディスプレイ４７に加えて、コンピュータは、スピーカおよびプリンタのような、その他の周辺出力装置（図示せず）も含むことができる。また、図１のシステムは、ホスト・アダプタ５５、スモール・コンピュータ・システム・インターフェース（ＳＣＳＩ）バス５６、およびこのＳＣＳＩバス５６に接続されている外部記憶デバイス６２も含む。
【０１０２】
[0102]  コンピュータ２０は、リモート・コンピュータ４９のような１つ以上のリモート・コンピュータへの論理接続を用いて、ネットワーク環境において動作することも可能である。リモート・コンピュータ４９は、他のコンピュータ、サーバ、ルータ、ネットワークＰＣ、ピアデバイス、またはその他の共通ネットワーク・ノードとすることができ、通例、コンピュータ２０に関して先に説明したエレメントの多くまたは全てを含むが、図７にはメモリ記憶装置５０のみを示す。図７に示す論理接続は、ローカル・エリア・ネットワーク（ＬＡＮ）５１およびワイド・エリア・ネットワーク（ＷＡＮ）５２を含む。このようなネットワーク環境は、事務所、企業規模のコンピューター・ネットワーク、イントラネットおよびインターネットにおいては、一般的である。
【０１０３】
[0103]  ＬＡＮネットワーク環境で用いる場合、コンピュータ２０は、ネットワーク・インターフェースまたはアダプタ５３を介してＬＡＮ５１に接続される。ＷＡＮネットワーク環境で用いる場合、コンピュータ２０は、通例、モデム５４、またはインターネットのようなワイド・エリア・ネットワーク５２を通じて通信を確立するその他の手段を含む。モデム５４は、内蔵でも外付けでもよく、シリアル・ポート・インターフェース４６を介してシステム・バス２３に接続することができる。ネットワーク接続環境では、コンピュータ２０に関して図示したプログラム・モジュール、またはその一部を、リモート・メモリ記憶装置に格納することもできる。尚、図示のネットワーク接続は一例であり、コンピュータ間で通信リンクを確立する他の手段も使用可能であることは認められよう。更に、本発明の複数の実施形態はコンピュータ・システムに特に適しているが、本文書においては、本開示をこのような実施形態に限定することを意図するものはない。
【０１０４】
[0104]  以上の詳細な説明は、例および／または動作図を通じて、システムおよび／またはプロセスの種々の実施形態を明記した。このようなブロック図および／または例が１つ以上の機能および／または動作を含む限りにおいて、このようなブロック図または例の中にある各機能および／または動作は、個々におよび／または集合的に、広範囲のハードウェア、ソフトウェア、ファームウェア、または事実上そのあらゆる組み合わせによって実現できることは、当業者には言うまでもないであろう。
【０１０５】
[0105]  最後に、本開示は、種々の図に記載したような好ましい態様に関連付けて説明したが、本開示から逸脱することなく、他の同様の態様を用いることもでき、あるいは本開示の同じ機能を実行するために、変更および追加を、記載した態様に対して行うこともできることは言うまでもない。例えば、本開示の種々の態様において、１つ以上の無線アクセス技術からの測定値を用いて、マルチモード移動体デバイスの位置推定値を判定し、位置検出解を組み合わせて提示するための種々のメカニズムを開示した。しかしながら、これら記載した態様と等価の他のメカニズムも、本明細書における教示によって想起される。したがって、本開示は、いずれの１つの態様にも限定すべきではなく、逆に、添付した特許請求の範囲にしたがってその広さおよび範囲を解釈してしかるべきである。
【図１】
2012508390.tif 000007
【図２】
2012508390.tif 000008
【図３】
2012508390.tif 000009
【図４】
2012508390.tif 000010
【図５ａ】
2012508390.tif 000011
【図５ｂ】
2012508390.tif 000012
【図６】
2012508390.tif 000013
【図７】
2012508390.tif 000014
【国際調査報告】
2012508390.tif 000015